(57)【要約】【課題】機器の奥行き寸法を最小限にすることができ、スペースの増加や部品点数の増加による機構の煩雑化を招くことなく、紙葉類を分岐するための機能を備えることができ、さらに、収納部に収容された紙葉類を外部に排出可能な紙葉類処理装置、紙葉類処理方法、紙葉類処理機能付き台間機および紙葉類処理システムを提供することを目的とする。【解決手段】紙葉類Ｗを搬送する本線通路１４１と、本線通路１４１に臨んで設けられた紙葉類送り部材１２４とこの紙葉類送り部材１２４の外周に沿って本線通路１４１に進退可能に設置された分岐ガイド１３０との間に形成可能な、本線通路１４１から分岐する分岐通路１４３とを具備し、紙葉類Ｗを本線通路１４１または分岐通路１４３に導いて搬送することができ、機器のコンパクト化を図ることができる。【選択図】図３
2007105287.tif 000002
【特許請求の範囲】
【請求項１】
紙葉類を搬送手段により搬送する本線通路と、
前記本線通路に臨んで設けられたローラと前記ローラの外周に沿って本線通路に進退可能に設置された分岐ガイドとの間に形成可能な、前記本線通路から分岐する分岐通路と
を具備する紙葉類処理装置であって、
前記分岐ガイドの前記本線通路側の端部を前記本線通路に進出させて前記分岐通路を形成しているときには、紙葉類は、前記本線通路から前記分岐通路に導かれ、前記分岐ガイドの前記本線通路側の端部を前記本線通路から退去させているときには、紙葉類は、前記本線通路に搬送されることを特徴とする紙葉類処理装置。
【請求項２】
前記ローラは、前記ローラの外周または回転軸に掛架された、前記本線通路において紙葉類を搬送する搬送ベルトを含んで構成されていることを特徴とする請求項１記載の紙葉類処理装置。
【請求項３】
前記ローラは、前記ローラの外周または回転軸に掛架された、前記分岐通路よりも搬送方向前方に配置された搬送ベルトを含んで構成されていることを特徴とする請求項１記載の紙葉類処理装置。
【請求項４】
前記分岐ガイドは、前記ローラと同軸的に配置されていることを特徴とする請求項１乃至３のいずれか１項記載の紙葉類処理装置。
【請求項５】
前記本線通路の至端には、前記本線通路からの紙葉類を搬送する紙葉類搬送部が配設され、前記分岐通路の至端には、前記分岐通路からの紙葉類を収容する紙葉類収容部が配設されていることを特徴とする請求項１乃至４のいずれか１項記載の紙葉類処理装置。
【請求項６】
紙葉類を搬送手段により搬送する本線通路と、
前記本線通路から分岐する分岐通路と、
前記分岐通路によって導かれた紙葉類を収容する紙葉類収容部と、
前記紙葉類収容部に収容された紙葉類を、紙葉類を受け入れた方向と同方向に設けられた紙葉類排出口に搬送して排出する紙葉類排出手段と
を具備することを特徴とする紙葉類処理装置。
【請求項７】
前記分岐通路を、前記本線通路に臨んで設けられたローラと前記ローラの外周に沿って本線通路に進退可能に設置された分岐ガイドとの間に形成可能であり、
前記紙葉類収容部が、分岐通路の至端に形成され、
前記分岐ガイドの前記本線通路側の端部を前記本線通路に進出させて、前記分岐通路を形成しているときには、前記紙葉類は、前記本線通路から前記分岐通路に導かれ、
前記紙葉類収容部に収容された紙葉類を排出する場合には、前記分岐ガイドを前記本線通路側に移動し、前記ローラを紙葉類を前記紙葉類収容部に収容するときの回転方向とは反対方向に回転させ、前記紙葉類収容部内の紙葉類を排出することを特徴とする請求項６記載の紙葉類処理装置。
【請求項８】
前記本線通路が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、
前記紙葉類収容部が、前記ガイド部を介して前記本線通路側とは異なる側に形成され、
受け入れた紙葉類が前記本線通路の所定位置に達したときに、前記ガイド部を紙葉類の支持を解除するよう上方および／または下方に移動し、かつ前記紙葉類の他方の側面を支持するよう略水平方向に移動後、下方および／または上方に移動して前記分岐通路を形成し、
前記ガイド部を前記紙葉類の他方の側面に当接させながら前記紙葉類を前記分岐通路を通過させて前記紙葉類収容部に収容し、
前記紙葉類収容部に収容された紙葉類を排出する場合には、前記紙葉類排出手段によって、収容された順に前記紙葉類収容部内の紙葉類を排出することを特徴とする請求項６記載の紙葉類処理装置。
【請求項９】
前記本線通路の至端には、前記本線通路からの紙葉類を搬送する紙葉類搬送部が配設されていることを特徴とする請求項６乃至８のいずれか１項記載の紙葉類処理装置。
【請求項１０】
前記紙葉類搬送部が、紙葉類の搬送異常を検知する搬送異常検知手段を備え、前記搬送異常検知手段において、紙葉類の搬送異常が検知された場合には、紙葉類を前記紙葉類収容部に収容し、紙葉類の搬送異常が検知されない場合には、前記本線通路から前記紙葉類搬送部に紙葉類が搬送されることを特徴とする請求項５または９記載の紙葉類処理装置。
【請求項１１】
前記本線通路に、紙葉類を識別する紙葉類識別手段をさらに具備することを特徴とする請求項１乃至１０のいずれか１項記載の紙葉類処理装置。
【請求項１２】
紙葉類を縦向きに受け入れて搬送する搬送手段と、
前記紙葉類の受入方向に対し略水平方向に設けられ、前記搬送手段によって搬送される紙葉類を複数収容可能な紙葉類収容部と、
前記紙葉類収容部に収容された紙葉類を、収容された順に、前記紙葉類の受入方向と同方向に設けられた紙葉類排出口に搬送して排出する紙葉類排出手段と
を具備することを特徴とする紙葉類処理装置。
【請求項１３】
前記搬送手段が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、
前記紙葉類収容部が、前記ガイド部を介して前記搬送駆動手段側とは異なる側に形成され、
受け入れた紙葉類が所定位置まで搬送されたときに、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に収容し、
前記紙葉類収容部に収容された紙葉類を排出する場合には、前記紙葉類排出手段によって、前記紙葉類収容部内の紙葉類を排出することを特徴とする請求項１２記載の紙葉類処理装置。
【請求項１４】
前記紙葉類排出口には、紙葉類を搬送する紙葉類搬送部が連接されていることを特徴とする請求項１２または１３記載の紙葉類処理装置。
【請求項１５】
前記紙葉類搬送部が、紙葉類の搬送異常を検知する搬送異常検知手段を備え、
前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出し、
前記搬送異常検知手段において、紙葉類の搬送異常が検知されない場合には、紙葉類を前記紙葉類収容部に収容するとともに、前記紙葉類排出手段によって、前記紙葉類収容部内の紙葉類を排出することを特徴とする請求項１４記載の紙葉類処理装置。
【請求項１６】
前記搬送される紙葉類を識別する紙葉類識別手段をさらに具備することを特徴とする請求項１２乃至１５のいずれか１項記載の紙葉類処理装置。
【請求項１７】
紙葉類を受け入れて複数収容可能な紙葉類収納部と、
前記紙葉類収納部と連通させて設けられた紙葉類を搬送する紙葉類搬送部と、
前記紙葉類収納部から前記紙葉類搬送部へ紙葉類を排出する紙葉類排出手段と、
前記紙葉類搬送部に設けられた紙葉類の搬送異常を検知する搬送異常検知手段と
を具備する紙葉類処理装置であって、
前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出することを特徴とする紙葉類処理装置。
【請求項１８】
紙葉類を搬送手段により搬送する本線通路と、
前記本線通路に臨んで設けられたローラと前記ローラの外周に沿って本線通路に進退可能に設置された分岐ガイドとの間に形成可能な、前記本線通路から分岐する分岐通路と
を備える紙葉類処理装置における紙葉類処理方法であって、
前記分岐ガイドの前記本線通路側の端部を前記本線通路に進出させて前記分岐通路を形成して、紙葉類を前記本線通路から前記分岐通路に導いて搬送する分岐通路搬送ステップ、
または前記分岐ガイドの前記本線通路側の端部を前記本線通路から退去させ、紙葉類を前記本線通路に搬送する本線通路搬送ステップ
を具備することを特徴とする紙葉類処理方法。
【請求項１９】
前記紙葉類処理装置が、前記本線通路の至端に紙葉類搬送部および前記分岐通路の至端に紙葉類収容部を備え、
前記本線通路からの紙葉類を前記紙葉類搬送部に搬送する搬送ステップ、
または前記分岐通路からの紙葉類を前記紙葉類収容部に収容する紙葉類収容ステップ
を具備することを特徴とする請求項１８記載の紙葉類処理方法。
【請求項２０】
受入口から受け入れられた紙葉類を搬送手段により本線通路を搬送する本線通路搬送ステップ、
または前記本線通路から分岐する分岐通路に、紙葉類を導いて搬送する分岐通路搬送ステップを実行し、
前記分岐通路搬送ステップが実行された場合に、
前記分岐通路搬送ステップによって導かれた紙葉類を紙葉類収容部に収容する紙葉類収容ステップを実行し、
前記紙葉類収容部から紙葉類を排出すべく要求信号に基づいて、前記紙葉類収容部に収容された紙葉類を受け入れた方向と同方向に設けられた紙葉類排出口に搬送して排出する紙葉類排出ステップを実行することを特徴とする紙葉類処理方法。
【請求項２１】
前記分岐通路を、前記本線通路に臨んで設けられたローラと前記ローラの外周に沿って本線通路に進退可能に設置された分岐ガイドとの間に形成可能であり、
前記紙葉類収容部が、分岐通路の至端に形成され、
前記分岐通路搬送ステップにおいて、前記分岐ガイドの前記本線通路側の端部を前記本線通路に進出させて前記分岐通路を形成して、紙葉類を前記本線通路から前記分岐通路に導き、
前記紙葉類収容ステップにおいて、前記分岐通路に導きかれた紙葉類を紙葉類収容部に収容し、
前記紙葉類排出ステップにおいて、前記分岐ガイドを前記本線通路側に移動し、前記搬送ローラを紙葉類を前記紙葉類収容部に収容するときの回転方向とは反対方向に回転させ、前記紙葉類収容部内の紙葉類を排出することを特徴とする請求項２０記載の紙葉類処理方法。
【請求項２２】
前記本線通路が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、
前記紙葉類収容部が、前記ガイド部を介して前記本線通路側とは異なる側に形成され、
前記分岐通路搬送ステップにおいて、受け入れた紙葉類が前記本線通路の所定位置に達したときに、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に向かって移動し、
前記紙葉類収容ステップにおいて、前記ガイド部によって移動された紙葉類を紙葉類収容部に収容し、
前記紙葉類排出ステップにおいて、前記紙葉類収容部に設けられた前記紙葉類排出手段によって、収容された順に前記紙葉類収容部内の紙葉類を排出することを特徴とする請求項２０記載の紙葉類処理方法。
【請求項２３】
前記本線通路の至端に紙葉類類を搬送する紙葉類搬送部を備え、
前記紙葉類搬送部により前記本線通路からの紙葉類を搬送する搬送ステップを具備することを特徴とする請求項１８乃至２２のいずれか１項記載の紙葉類処理方法。
【請求項２４】
前記紙葉類搬送部に、紙葉類の搬送異常を検知する搬送異常検知手段を備え、
前記搬送異常検知手段により紙葉類の搬送異常を検知する搬送異常検知ステップをさらに具備し、
前記搬送異常検知ステップにおいて搬送異常が検知された場合には、前記分岐通路搬送ステップおよび前記紙葉類収容ステップを実行し、搬送異常が検知されない場合には、前記本線通路搬送ステップを実行することを特徴とする請求項１９または２３記載の紙葉類処理方法。
【請求項２５】
前記本線通路に紙葉類識別手段を備え、
前記紙葉類識別手段により前記受入口から受け入れられた紙葉類を識別する紙葉類識別ステップをさらに具備することを特徴とする請求項１８乃至２４のいずれか１項記載の紙葉類処理方法。
【請求項２６】
受入口から縦向きに受け入れられた紙葉類を搬送手段により搬送する搬送ステップと、
前記紙葉類の受入方向に対し略水平方向に設けられた紙葉類収容部に、前記搬送手段により紙葉類を搬送して収容する紙葉類収容ステップと、
前記紙葉類収容部から紙葉類を排出すべく要求信号に基づいて、紙葉類排出手段により前記紙葉類収容部に収容された紙葉類を収容された順に、前記紙葉類の受入方向と同方向に設けられた紙葉類排出口に搬送して排出する紙葉類排出ステップと
を具備することを特徴とする紙葉類処理方法。
【請求項２７】
前記搬送手段が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、
前記紙葉類収容部が、前記ガイド部を介して前記搬送駆動手段側とは異なる側に形成され、
前記搬送ステップにおいて、受け入れた紙葉類を所定位置まで搬送し、
前記紙葉類収容ステップにおいて、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に収容し、
前記紙葉類排出ステップにおいて、前記紙葉類排出手段により前記紙葉類収容部内の紙葉類を排出することを特徴とする請求項２６記載の紙葉類処理方法。
【請求項２８】
前記紙葉類排出口には、紙葉類類を搬送する紙葉類搬送部を備え、
前記紙葉類搬送部により前記紙葉類排出口から排出された紙葉類を搬送する第２の搬送ステップを具備することを特徴とする請求項２６または２７記載の紙葉類処理方法。
【請求項２９】
前記紙葉類搬送部に、紙葉類の搬送異常を検知する搬送異常検知手段を備え、
前記搬送異常検知手段により紙葉類の搬送異常を検知する搬送異常検知ステップをさらに具備し、
前記搬送異常検知ステップにおいて搬送異常が検知された場合には、前記紙葉類収容ステップにより紙葉類を前記紙葉類収容部に一旦収容し、前記紙葉類の搬送異常が解除されたことが検知されたときに、前記紙葉類排出ステップにより前記一旦収容した紙葉類を排出し、
前記搬送異常検知ステップにおいて搬送異常が検知されない場合には、前記紙葉類収容ステップにより紙葉類を前記紙葉類収容部に収容するとともに、前記紙葉類排出ステップにより前記紙葉類収容部内の紙葉類を排出することを特徴とする請求項２８記載の紙葉類処理方法。
【請求項３０】
紙葉類を識別する紙葉類識別手段を備え、
前記紙葉類識別手段により前記受入口から受け入れられた紙葉類を識別する紙葉類識別ステップをさらに具備することを特徴とする請求項２６乃至２９のいずれか１項記載の紙葉類処理方法。
【請求項３１】
紙葉類を受け入れて複数収容可能な紙葉類収納部と、
前記紙葉類収納部と連通させて設けられた紙葉類を搬送する紙葉類搬送部と、
前記紙葉類収納部から前記紙葉類搬送部へ紙葉類を排出する紙葉類排出手段と、
前記紙葉類搬送部に設けられた紙葉類の搬送異常を検知する搬送異常検知手段と
を備える紙葉類処理装置における紙葉類処理方法であって、
前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出することを特徴とする紙葉類処理方法。
【請求項３２】
入金された範囲または記憶媒体から読み取った有価価値を特定可能な情報により特定された有価情報の範囲で、遊技媒体の貸し出しが可能な台間機であって、
請求項１乃至１７のいずれか１項記載の紙葉類処理装置を具備することを特徴とする紙葉類処理機能付き台間機。
【請求項３３】
請求項１乃至１７のいずれか１項記載の紙葉類処理装置と、
前記紙葉類処理装置と通信可能に接続され、少なくとも前記紙葉類処理装置からの情報を管理する管理装置と
を具備することを特徴とする紙葉類処理システム。
【請求項３４】
入金された範囲または記憶媒体から読み取った有価価値を特定可能な情報により特定された有価情報の範囲で、遊技媒体の貸し出しが可能であり、請求項１乃至１７のいずれか１項記載の紙葉類処理装置を備える台間機と、
前記台間機と通信可能に接続され、少なくとも前記台間機からの情報を管理する管理装置と
を具備することを特徴とする紙葉類処理システム。
【発明の詳細な説明】
【技術分野】
【０００１】
本発明は、例えば、パチンコ機、スロットマシーン、ゲーム機などの遊技機を備える遊技ホールで使用されるのに適し、小型化が可能で、構成も簡易化が可能な紙葉類処理装置、紙葉類処理方法、紙葉類処理機能付き台間機および紙葉類処理システムに関する。
【背景技術】
【０００２】
従来の紙幣搬送装置において、例えば、切替ローラのような分岐手段を備えることで、搬送されてくる紙幣を所定の方向に分岐させる技術が開示されている。この従来の紙幣搬送装置では、紙幣識別機の背部に紙幣を排出する紙幣排出口を設けるとともに、装置の異常発生時に紙幣を収容する収納部を紙幣識別機の側方に設け、搬送する紙幣の方向を切り替える切替ローラ３５（特許文献２のゲート１２、特許文献３の切換フォーク８０でもよい）などの切替手段を備えている（例えば、特許文献１−３参照。）。
【０００３】
また、他の紙幣識別装置では、受け入れた紙幣を奥部に送り込み紙幣を反転させるローラと、そのローラを覆う半円筒状の内周面に沿って紙幣を案内する反転ガイドを有し、送り込まれた紙幣の後端が反転ガイドに至った場合に、反転ガイドを回転させて、紙幣の後端をストッカに収容する技術が開示されている（例えば、特許文献４参照。）。
【特許文献１】実公平０７−０５５６５２号公報
【特許文献２】実開平０３−０６３２７０号公報
【特許文献３】実公平０３−０５９９４５号公報
【特許文献４】特許第３５６４４３２号公報
【発明の開示】
【発明が解決しようとする課題】
【０００４】
しかしながら、上記した従来の紙幣搬送装置では、受け入れた紙幣の搬送方向に切替ローラや切換フォークなどを設置する領域を必要とし、その領域分、奥行き寸法などが大きくなる。特に、パチンコ分野においては、このような紙幣識別装置は、遊技機に隣接して島の両側に備えられるので、一方の側に切替ローラや切換フォーク分の１０ｍｍから２０ｍｍ、両側に２０から４０ｍｍ程度島幅を広げる原因となっていた。さらに、収納部に収容された紙幣は、搬送することができないため、収納部に収容された紙幣は、店員が手作業にて回収しなければならず、不便であり、店員の作業効率の妨げともなっていた。また、切替ローラや切換フォークのような分岐手段を設けることは、機器のコンパクト化が図れないばかりでなく、機器内における機構の煩雑を招き故障の原因となっていた。
【０００５】
そこで、本発明は、上記した課題を解決するためになされたものであり、機器の奥行き寸法を最小限にすることができ、スペースの増加や部品点数の増加による機構の煩雑化を招くことなく、紙葉類を分岐するための機能を備えることができ、さらに、収納部に収容された紙葉類を外部に排出可能な紙葉類処理装置、紙葉類処理方法、紙葉類処理機能付き台間機および紙葉類処理システムを提供することを目的とする。
【課題を解決するための手段】
【０００６】
上記目的を達成するために、本発明の紙葉類処理装置は、紙葉類を搬送手段により搬送する本線通路と、前記本線通路に臨んで設けられたローラと前記ローラの外周に沿って本線通路に進退可能に設置された分岐ガイドとの間に形成可能な、前記本線通路から分岐する分岐通路とを具備する紙葉類処理装置であって、前記分岐ガイドの前記本線通路側の端部を前記本線通路に進出させて前記分岐通路を形成しているときには、紙葉類は、前記本線通路から前記分岐通路に導かれ、前記分岐ガイドの前記本線通路側の端部を前記本線通路から退去させているときには、紙葉類は、前記本線通路に搬送されることを特徴とする。
【０００７】
この紙葉類処理装置によれば、本線通路に進退可能に設置された分岐ガイドを設けることで、本線通路に進出時に紙葉類を分岐通路に導き、退去時に紙葉類を本線通路に導くことができる。これによって、分岐ガイドがガイド機能および分岐のための機能の双方の機能を備えるため、切換ローラや切換フォーク等の分岐手段の設置スペースについて省スペース化を図ることができ、また、部品点数の削減を図ることができる。
【０００８】
なお、分岐ガイドの本線通路側の端部は、本線通路に進出させたり退去させるもので、分岐ガイドと一体であっても、固定の分岐ガイドの外周と本線通路の接点で進退する別体のものであってもよい。この端部が分岐ガイドと別体の場合であっても、紙葉類を分岐させるためのガイドの一部であるから本発明における分岐ガイドに含まれる。
【０００９】
ここで、ローラは、ローラの外周または回転軸に掛架された、本線通路において紙葉類を搬送する搬送ベルトを含んで構成されてもよい。また、ローラは、ローラの外周または回転軸に掛架された、分岐通路よりも搬送方向前方に配置された搬送ベルトを含んで構成されてもよい。さらに、分岐ガイドは、ローラと同軸的に配置されてもよい。
【００１０】
また、本発明の紙葉類処理装置は、前記本線通路の至端には、前記本線通路からの紙葉類を搬送する紙葉類搬送部が配設され、前記分岐通路の至端には、前記分岐通路からの紙葉類を収容する紙葉類収容部が配設されていることを特徴とする。
【００１１】
この紙葉類処理装置によれば、紙葉類を本線通路を通して本線通路の至端に搬送したり、紙葉類を分岐通路を通して紙葉類収容部に搬送して収容することができる。これによって、例えば、本線通路の至端から紙葉類が排出された以降の搬送処理において、搬送不良などを生じても、一時的に紙葉類収容部に収容することができる。
【００１２】
また、本発明の紙葉類処理装置は、紙葉類を搬送手段により搬送する本線通路と、前記本線通路から分岐する分岐通路と、前記分岐通路によって導かれた紙葉類を収容する紙葉類収容部と、前記紙葉類収容部に収容された紙葉類を、紙葉類を受け入れた方向と同方向に設けられた紙葉類排出口に搬送して排出する紙葉類排出手段とを具備することを特徴とする。
【００１３】
この紙葉類処理装置によれば、紙葉類排出手段を設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。
【００１４】
さらに、本発明の紙葉類処理装置は、前記分岐通路を、前記本線通路に臨んで設けられたローラと前記ローラの外周に沿って本線通路に進退可能に設置された分岐ガイドとの間に形成可能であり、前記紙葉類収容部が、分岐通路の至端に形成され、前記分岐ガイドの前記本線通路側の端部を前記本線通路に進出させて、前記分岐通路を形成しているときには、前記紙葉類は、前記本線通路から前記分岐通路に導かれ、前記紙葉類収容部に収容された紙葉類を排出する場合には、前記分岐ガイドを前記本線通路側に移動し、前記ローラを紙葉類を前記紙葉類収容部に収容するときの回転方向とは反対方向に回転させ、前記紙葉類収容部内の紙葉類を排出することを特徴とする。
【００１５】
この紙葉類処理装置によれば、本線通路に進退可能に設置された分岐ガイドを設けることで、本線通路に進出時に紙葉類を分岐通路に導き、退去時に紙葉類を本線通路に導くことができる。これによって、分岐ガイドがガイド機能および分岐のための機能の双方の機能を備えるため、省スペース化を図ることができ、また、部品点数の削減を図ることができる。さらに、ローラが紙葉類排出手段として機能するため、省スペース化を図ることができ、また、部品点数の削減を図ることができる。
【００１６】
また、紙葉類収容部内の紙葉類を排出する紙葉類排出手段を設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。
【００１７】
また、本発明の紙葉類処理装置は、前記本線通路が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、前記紙葉類収容部が、前記ガイド部を介して前記本線通路側とは異なる側に形成され、受け入れた紙葉類が前記本線通路の所定位置に達したときに、前記ガイド部を紙葉類の支持を解除するよう上方および／または下方に移動し、かつ前記紙葉類の他方の側面を支持するよう略水平方向に移動後、下方および／または上方に移動して前記分岐通路を形成し、前記ガイド部を前記紙葉類の他方の側面に当接させながら前記紙葉類を前記分岐通路を通過させて前記紙葉類収容部に収容し、前記紙葉類収容部に収容された紙葉類を排出する場合には、前記紙葉類排出手段によって、収容された順に前記紙葉類収容部内の紙葉類を排出することを特徴とする。
【００１８】
この紙葉類処理装置によれば、紙葉類排出手段を設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。
【００１９】
また、本発明の紙葉類処理装置は、前記本線通路の至端には、前記本線通路からの紙葉類を搬送する紙葉類搬送部が配設されていることを特徴とする。
【００２０】
また、本発明の紙葉類処理装置は、前記紙葉類搬送部が、紙葉類の搬送異常を検知する搬送異常検知手段を備え、前記搬送異常検知手段において、紙葉類の搬送異常が検知された場合には、紙葉類を前記紙葉類収容部に収容し、紙葉類の搬送異常が検知されない場合には、前記本線通路から前記紙葉類搬送部に紙葉類が搬送されることを特徴とする。
【００２１】
この紙葉類処理装置によれば、紙葉類搬送部に紙葉類の搬送異常を検知する搬送異常検知手段を備えることで、紙葉類搬送部の搬送異常を検知することができ、この検知信号に基づいて、紙葉類を紙葉類収容部に収容したり、紙葉類を本線通路から紙葉類搬送部に搬送したりすることができる。
【００２２】
ここで、本線通路に、紙葉類を識別する紙葉類識別手段を設けてもよい。これによって、搬送される紙葉類の種別などを識別することができる。さらに、搬送される紙葉類が適正なものであるか否かなどの識別も行うことができる。
【００２３】
また、本発明の紙葉類処理装置は、紙葉類を縦向きに受け入れて搬送する搬送手段と、前記紙葉類の受入方向に対し略水平方向に設けられ、前記搬送手段によって搬送される紙葉類を複数収容可能な紙葉類収容部と、前記紙葉類収容部に収容された紙葉類を、収容された順に、前記紙葉類の受入方向と同方向に設けられた紙葉類排出口に搬送して排出する紙葉類排出手段とを具備することを特徴とする。
【００２４】
この紙葉類処理装置によれば、紙葉類排出手段を設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。また、この紙葉類排出手段によれば、紙葉類を収容された順に排出することができる。
【００２５】
また、本発明の紙葉類処理装置は、前記搬送手段が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、前記紙葉類収容部が、前記ガイド部を介して前記搬送駆動手段側とは異なる側に形成され、受け入れた紙葉類が所定位置まで搬送されたときに、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に収容し、前記紙葉類収容部に収容された紙葉類を排出する場合には、前記紙葉類排出手段によって、前記紙葉類収容部内の紙葉類を排出することを特徴とする。
【００２６】
この紙葉類処理装置によれば、紙葉類を一旦紙葉類収容部に収容し、その後、収容された順に紙葉類を排出することができる。また、紙葉類収容部には、複数の紙葉類を収容することができるので、例えば、紙葉類排出口から紙葉類が排出された以降の搬送処理において、搬送不良などを生じても、一時的に紙葉類収容部に収容することができる。また、搬送不良が改善されれば、紙葉類排出手段によって、紙葉類を紙葉類収容部から紙葉類排出口に導くことができる。ここで、紙葉類排出口には、紙葉類を搬送する紙葉類搬送部などを連接させてもよい。
【００２７】
また、本発明の紙葉類処理装置は、前記紙葉類搬送部が、紙葉類の搬送異常を検知する搬送異常検知手段を備え、前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出し、前記搬送異常検知手段において、紙葉類の搬送異常が検知されない場合には、紙葉類を前記紙葉類収容部に収容するとともに、前記紙葉類排出手段によって、前記紙葉類収容部内の紙葉類を排出することを特徴とする。
【００２８】
この紙葉類処理装置によれば、紙葉類搬送部に紙葉類の搬送異常を検知する搬送異常検知手段を備えることで、紙葉類搬送部の搬送異常を検知することができ、この検知信号に基づいて、紙葉類を紙葉類収容部に収容したり、紙葉類収容部から紙葉類排出口に紙葉類を搬送したりすることができる。また、搬送される紙葉類を識別する紙葉類識別手段を設けてもよい。これによって、搬送される紙葉類の種別などを識別することができる。さらに、搬送される紙葉類が適正なものであるか否かなどの識別も行うことができる。
【００２９】
また、本発明の紙葉類処理装置は、紙葉類を受け入れて複数収容可能な紙葉類収納部と、前記紙葉類収納部と連通させて設けられた紙葉類を搬送する紙葉類搬送部と、前記紙葉類収納部から前記紙葉類搬送部へ紙葉類を排出する紙葉類排出手段と、前記紙葉類搬送部に設けられた紙葉類の搬送異常を検知する搬送異常検知手段とを具備する紙葉類処理装置であって、前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出することを特徴とする。
【００３０】
この紙葉類処理装置によれば、紙葉類収納部、紙葉類排出手段および搬送異常検知手段を備えることで、搬送異常検知手段において、紙葉類の搬送異常が検知された場合には、紙葉類を紙葉類収容部に一旦収容し、紙葉類の搬送異常が解除されたことが検知されたときに、紙葉類収容部に設けられた紙葉類排出手段によって、一旦収容した紙葉類を排出することができる。これによって、紙葉類搬送部において搬送異常時においても、紙葉類を受け入れることが可能となる。
【００３１】
本発明の紙葉類処理方法は、紙葉類を搬送手段により搬送する本線通路と、前記本線通路に臨んで設けられたローラと前記ローラの外周に沿って本線通路に進退可能に設置された分岐ガイドとの間に形成可能な、前記本線通路から分岐する分岐通路とを備える紙葉類処理装置における紙葉類処理方法であって、前記分岐ガイドの前記本線通路側の端部を前記本線通路に進出させて前記分岐通路を形成して、紙葉類を前記本線通路から前記分岐通路に導いて搬送する分岐通路搬送ステップ、または前記分岐ガイドの前記本線通路側の端部を前記本線通路から退去させ、紙葉類を前記本線通路に搬送する本線通路搬送ステップを具備することを特徴とする紙葉類処理方法。
【００３２】
この紙葉類処理方法によれば、本線通路に進退可能に設置された分岐ガイドを設けることで、本線通路に進出時に紙葉類を分岐通路に導く分岐通路搬送ステップ、または退去時に紙葉類を本線通路に導く本線通路搬送ステップを実行することができる。
【００３３】
また、本発明の紙葉類処理方法は、前記紙葉類処理装置が、前記本線通路の至端に紙葉類搬送部および前記分岐通路の至端に紙葉類収容部を備え、前記本線通路からの紙葉類を前記紙葉類搬送部に搬送する搬送ステップ、または前記分岐通路からの紙葉類を前記紙葉類収容部に収容する紙葉類収容ステップを具備することを特徴とする。
【００３４】
この紙葉類処理方法によれば、紙葉類を本線通路を通して本線通路の至端に搬送したり、紙葉類を分岐通路を通して紙葉類収容部に搬送して収容することができる。これによって、例えば、本線通路の至端から紙葉類が排出された以降の搬送処理において、搬送不良などを生じても、一時的に紙葉類収容部に収容することができる。
【００３５】
また、本発明の紙葉類処理方法は、受入口から受け入れられた紙葉類を搬送手段により本線通路を搬送する本線通路搬送ステップ、または前記本線通路から分岐する分岐通路に、紙葉類を導いて搬送する分岐通路搬送ステップを実行し、前記分岐通路搬送ステップが実行された場合に、前記分岐通路搬送ステップによって導かれた紙葉類を紙葉類収容部に収容する紙葉類収容ステップを実行し、前記紙葉類収容部から紙葉類を排出すべく要求信号に基づいて、前記紙葉類収容部に収容された紙葉類を紙葉類を受け入れた方向と同方向に設けられた紙葉類排出口に搬送して排出する紙葉類排出ステップを実行することを特徴とする。
【００３６】
この紙葉類処理方法によれば、紙葉類排出ステップを設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。
【００３７】
また、本発明の紙葉類処理方法は、前記分岐通路を、前記本線通路に臨んで設けられたローラと前記ローラの外周に沿って本線通路に進退可能に設置された分岐ガイドとの間に形成可能であり、前記紙葉類収容部が、分岐通路の至端に形成され、前記分岐通路搬送ステップにおいて、前記分岐ガイドの前記本線通路側の端部を前記本線通路に進出させて前記分岐通路を形成して、紙葉類を前記本線通路から前記分岐通路に導き、前記紙葉類収容ステップにおいて、前記分岐通路に導きかれた紙葉類を紙葉類収容部に収容し、前記紙葉類排出ステップにおいて、前記分岐ガイドを前記本線通路側に移動し、前記搬送ローラを紙葉類を前記紙葉類収容部に収容するときの回転方向とは反対方向に回転させ、前記紙葉類収容部内の紙葉類を排出することを特徴とする。
【００３８】
この紙葉類処理方法によれば、本線通路に進退可能に設置された分岐ガイドを設けることで、本線通路に進出時に紙葉類を分岐通路に導く分岐通路搬送ステップ、または退去時に紙葉類を本線通路に導く本線通路搬送ステップを実行することができる。また、分岐ガイドがガイド機能および分岐のための機能の双方の機能を備えるため、省スペース化を図ることができ、また、部品点数の削減を図ることができる。さらに、ローラが紙葉類排出手段として機能するため、省スペース化を図ることができ、また、部品点数の削減を図ることができる。
【００３９】
さらに、本発明の紙葉類処理方法は、前記本線通路が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、前記紙葉類収容部が、前記ガイド部を介して前記本線通路側とは異なる側に形成され、前記分岐通路搬送ステップにおいて、受け入れた紙葉類が前記本線通路の所定位置に達したときに、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に向かって移動し、前記紙葉類収容ステップにおいて、前記ガイド部によって移動された紙葉類を紙葉類収容部に収容し、前記紙葉類排出ステップにおいて、前記紙葉類収容部に設けられた前記紙葉類排出手段によって、収容された順に前記紙葉類収容部内の紙葉類を排出することを特徴とする。
【００４０】
この紙葉類処理方法によれば、紙葉類排出ステップにおいて、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。
【００４１】
また、本発明の紙葉類処理方法は、前記本線通路の至端に紙葉類類を搬送する紙葉類搬送部を備え、前記紙葉類搬送部により前記本線通路からの紙葉類を搬送する搬送ステップを具備することを特徴とする。
【００４２】
また、本発明の紙葉類処理方法は、前記紙葉類搬送部に、紙葉類の搬送異常を検知する搬送異常検知手段を備え、前記搬送異常検知手段により紙葉類の搬送異常を検知する搬送異常検知ステップをさらに具備し、前記搬送異常検知ステップにおいて搬送異常が検知された場合には、前記分岐通路搬送ステップおよび前記紙葉類収容ステップを実行し、搬送異常が検知されない場合には、前記本線通路搬送ステップを実行することを特徴とする。
【００４３】
この紙葉類処理方法によれば、搬送異常検知ステップを備えることで、紙葉類搬送部の搬送異常を検知することができ、この検知信号に基づいて、紙葉類を紙葉類収容部に収容したり、紙葉類を本線通路から紙葉類搬送部に搬送したりすることができる。
【００４４】
ここで、本線通路に紙葉類識別手段を備え、紙葉類識別手段により前記受入口から受け入れられた紙葉類を識別する紙葉類識別ステップを備えてもよい。これによって、搬送される紙葉類の種別などを識別することができる。さらに、搬送される紙葉類が適正なものであるか否かなどの識別も行うことができる。
【００４５】
また、本発明の紙葉類処理方法は、受入口から縦向きに受け入れられた紙葉類を搬送手段により搬送する搬送ステップと、前記紙葉類の受入方向に対し略水平方向に設けられた紙葉類収容部に、前記搬送手段により紙葉類を搬送して収容する紙葉類収容ステップと、前記紙葉類収容部から紙葉類を排出すべく要求信号に基づいて、紙葉類排出手段により前記紙葉類収容部に収容された紙葉類を収容された順に、前記紙葉類の受入方向と同方向に設けられた紙葉類排出口に搬送して排出する紙葉類排出ステップとを具備することを特徴とする。
【００４６】
この紙葉類処理方法によれば、紙葉類排出ステップを設けることで、紙葉類収容部に収容された紙葉類を紙葉類排出口から排出することができる。これによって、例えば、紙葉類排出口から紙葉類が排出された以降の搬送処理において、搬送不良などを生じても、一時的に紙葉類収容部に収容することができ、搬送不良が改善されれば、紙葉類排出手段によって、紙葉類を紙葉類収容部から紙葉類排出口に導くことができる。また、この紙葉類排出手段によれば、紙葉類を収容された順に排出することができる。
【００４７】
さらに、本発明の紙葉類処理方法は、前記搬送手段が、紙葉類を搬送する搬送駆動手段と、前記搬送駆動手段とは紙葉類を介して異なる側に設けられ、搬送される紙葉類の一方の側面を支持し、紙葉類の搬送方向に対して略水平方向および上下方向に移動可能なガイド部とを備え、前記紙葉類収容部が、前記ガイド部を介して前記搬送駆動手段側とは異なる側に形成され、前記搬送ステップにおいて、受け入れた紙葉類を所定位置まで搬送し、前記紙葉類収容ステップにおいて、前記ガイド部を紙葉類の支持を解除するよう上方および／または下方に移動し、かつ前記紙葉類の他方の側面を支持するよう略水平方向に移動後、下方および／または上方に移動し、前記ガイド部を前記紙葉類の他方の側面に当接させながら前記紙葉類を前記紙葉類収容部に収容し、前記紙葉類排出ステップにおいて、前記紙葉類排出手段により前記紙葉類収容部内の紙葉類を排出することを特徴とする。
【００４８】
この紙葉類処理方法によれば、紙葉類収容ステップにおいて、紙葉類を一旦紙葉類収容部に収容し、その後、紙葉類排出ステップにおいて、収容された順に紙葉類を排出することができる。また、紙葉類収容部には、複数の紙葉類を収容することができるので、例えば、紙葉類排出口から紙葉類が排出された以降の搬送処理において、搬送不良などを生じても、一時的に紙葉類収容部に収容することができる。また、搬送不良が改善されれば、紙葉類排出ステップにおいて、紙葉類を紙葉類収容部から紙葉類排出口に導くことができる。
【００４９】
ここで、紙葉類排出口には、紙葉類を搬送する紙葉類搬送部などを連接させ、この紙葉類搬送部により紙葉類排出口から排出された紙葉類を搬送する第２の搬送ステップを備えてもよい。
【００５０】
また、本発明の紙葉類処理方法は、前記紙葉類搬送部に、紙葉類の搬送異常を検知する搬送異常検知手段を備え、前記搬送異常検知手段により紙葉類の搬送異常を検知する搬送異常検知ステップをさらに具備し、前記搬送異常検知ステップにおいて搬送異常が検知された場合には、前記紙葉類収容ステップにより紙葉類を前記紙葉類収容部に一旦収容し、前記紙葉類の搬送異常が解除されたことが検知されたときに、前記紙葉類排出ステップにより前記一旦収容した紙葉類を排出し、前記搬送異常検知ステップにおいて搬送異常が検知されない場合には、前記紙葉類収容ステップにより紙葉類を前記紙葉類収容部に収容するとともに、前記紙葉類排出ステップにより前記紙葉類収容部内の紙葉類を排出することを特徴とする。
【００５１】
この紙葉類処理方法によれば、搬送異常検知ステップを備えることで、紙葉類搬送部の搬送異常を検知することができ、この検知信号に基づいて、紙葉類を紙葉類収容部に収容したり、紙葉類収容部から紙葉類排出口に紙葉類を搬送したりすることができる。
【００５２】
また、紙葉類を識別する紙葉類識別手段を備え、この紙葉類識別手段により受入口から受け入れられた紙葉類を識別する紙葉類識別ステップを備えてもよい。これによって、搬送される紙葉類の種別などを識別することができる。さらに、搬送される紙葉類が適正なものであるか否かなどの識別も行うことができる。
【００５３】
また、本発明の紙葉類処理方法は、紙葉類を受け入れて複数収容可能な紙葉類収納部と、前記紙葉類収納部と連通させて設けられた紙葉類を搬送する紙葉類搬送部と、前記紙葉類収納部から前記紙葉類搬送部へ紙葉類を排出する紙葉類排出手段と、前記紙葉類搬送部に設けられた紙葉類の搬送異常を検知する搬送異常検知手段とを備える紙葉類処理装置における紙葉類処理方法であって、前記搬送異常検知手段において、紙葉類の搬送異常が検知された場合には、紙葉類を前記紙葉類収容部に一旦収容し、前記紙葉類の搬送異常が解除されたことが検知されたときに、紙葉類収容部に設けられた前記紙葉類排出手段によって、前記一旦収容した紙葉類を排出することを特徴とする。
【００５４】
この紙葉類処理方法によれば、紙葉類収納部、紙葉類排出手段および搬送異常検知手段を備えることで、搬送異常検知手段において、紙葉類の搬送異常が検知された場合には、紙葉類を紙葉類収容部に一旦収容し、紙葉類の搬送異常が解除されたことが検知されたときに、紙葉類収容部に設けられた紙葉類排出手段によって、一旦収容した紙葉類を排出することができる。これによって、紙葉類搬送部において搬送異常時においても、紙葉類を受け入れることが可能となる。
【００５５】
本発明の紙葉類処理機能付き台間機は、入金された範囲または記憶媒体から読み取った有価価値を特定可能な情報により特定された有価情報の範囲で、遊技媒体の貸し出しが可能な台間機であって、上記した紙葉類処理装置のいずれかを具備することを特徴とする。
【００５６】
この紙葉類処理機能付き台間機によれば、上記した紙葉類処理装置のいずれかを備えることで、上記した紙葉類処理装置における各作用効果を得ることができる。
【００５７】
本発明の紙葉類処理システムは、上記したいずれかの紙葉類処理装置と、前記紙葉類処理装置と通信可能に接続され、少なくとも前記紙葉類処理装置からの情報を管理する管理装置とを具備することを特徴とする。
【００５８】
この紙葉類処理システムによれば、紙葉類処理装置における種々のデータなどを管理装置に記憶させ、必要に応じて情報を管理装置から取り出すことなどが可能となる。
【００５９】
また、本発明の紙葉類処理システムは、入金された範囲または記憶媒体から読み取った有価価値を特定可能な情報により特定された有価情報の範囲で、遊技媒体の貸し出しが可能であり、上記したいずれかの紙葉類処理装置を備える台間機と、前記台間機と通信可能に接続され、少なくとも前記台間機からの情報を管理する管理装置とを具備することを特徴とする。
【００６０】
この紙葉類処理システムによれば、紙葉類処理装置を備える台間機における種々のデータなどを管理装置に記憶させ、必要に応じて情報を管理装置から取り出すことなどが可能となる。
【発明の効果】
【００６１】
本発明の紙葉類処理装置、紙葉類処理方法、紙葉類処理機能付き台間機および紙葉類処理システムによれば、機器の奥行き寸法を最小限にすることができ、スペースの増加や部品点数の増加による機構の煩雑化を招くことなく、紙葉類を分岐するための機能を備えることができ、さらに、収納部に収容された紙葉類を外部に排出することができる。
【発明を実施するための最良の形態】
【００６２】
以下、本発明に係る紙葉類処理装置１００を備える紙葉類処理システム１の一実施の形態を図面を参照して説明する。
【００６３】
図１に、本発明の一実施の形態の紙葉類処理システム１の概要図を示す。
【００６４】
この一実施の形態の紙葉類処理システム１では、複数のパチンコ機２および複数のパチンコ機２のそれぞれに接続され、紙葉類処理装置１００を備える台間機３、４、複数のスロットマシーン５のそれぞれに接続され、紙葉類処理装置１００を備える台間機６が島コンピュータ７を介してネットワーク８に接続されている。
【００６５】
また、ネットワーク８には、例えば、受け入れた会員用ＩＣカードまたは非会員用ＩＣカードの度数（有価価値）残高を現金で返却する精算機１０、受け入れた会員用ＩＣカードや貯玉数の情報が記録されたレシートから貯玉数を参照し、貯玉数とその貯玉数により交換される景品種別と数量の表示を行い、景品払出機１８が併設される場合、景品払出機１８へ払い出す景品の種別と数量を指示する景品管理機（ＰＯＳ）１１などが接続されている。また、遊技媒体であるパチンコ玉やメダルの数量を計数して貯玉数とする計数機９がネットワーク８に接続される。
【００６６】
さらに、会員用ＩＣカードに記憶されたＩＤに基づいて管理装置１３に記憶された貯玉数があれば再プレー用貯玉数の情報を書き換える旨の要求信号を、ネットワーク８を介して管理装置１３に送信し、再プレーを行える状態にする再プレー受付機１２、受け入れた紙幣額に対して購入度数ボタンで選択された金額に対応する度数を、会員用ＩＣカードに更新したり、その金額に対応する度数が記憶された非会員用ＩＣカードの発行を行う発行機２０、各遊技機の上部に取り付けられ、各遊技機における、例えば、スランプグラフ、スタート回数、大当たり回数などの情報を表示するデータ表示機２１、各遊技機の、例えば、スランプグラフ、スタート回数、大当たり回数などの情報を検索可能であり、その検索情報を表示部に表示して遊技者に提供するデータ公開機２２などが接続されている。
【００６７】
これらの機器からの情報は、ネットワーク８を介して管理装置１３に出力され、さらに、プロトコルコンバータ１４、モデム１５を介してカードセンタ１６に送信される。なお、モデム１５からカードセンタ１６への情報の通信は、一般通信回線を介して行われる。
【００６８】
管理装置１３は、例えば、管理装置１３の情報を参照する機能を含んだパーソナルコンピュータ１７などとも接続されている。また、管理装置１３からの情報は、ネットワーク８を介して各機器に出力される。なお、管理装置１３は、１つまたは複数の管理装置で構成することができる。複数の管理装置の場合として、度数などの有価価値情報を処理するカードシステム用管理装置、遊技機の稼働情報に基づいて、遊技機の釘やスロットマシンの出メダル率を変更するための設定を調整するために集計するホールコンピュータ、景品の在庫数や出庫数を管理するための景品管理用管理装置、貯玉数などの会員管理用管理装置などが例示でき、これら管理装置をネットワークにより接続して相互にデータ通信させることで管理装置１３を構成することができる。
【００６９】
以下に、本発明に係る紙葉類処理装置１００、この紙葉類処理装置１００を備える台間機３、この台間機３と通信可能に接続され、紙葉類処理システム１を構成する管理装置１３のそれぞれについて説明する。なお、ここでは、台間機３として、パチンコ機２と情報通信が可能なユニットタイプについて説明するが、紙葉類処理装置１００は、例えば、パチンコ機２と情報通信ができないサンドタイプ、スロットマシーン５と情報通信ができない台間メダル貸し機などに搭載することもできる。
【００７０】
なお、紙葉類処理装置１００によって処理される紙葉類として、例えば、紙幣、度数や獲得した遊技媒体数などの有価価値を記憶するプラスチック、紙製等のカードなどが挙げられる。
【００７１】
（第１の実施形態の紙葉類処理装置１００）
第１の実施形態の紙葉類処理装置１００について、図２〜図４を参照して説明する。
【００７２】
図２は、紙葉類処理装置１００の外観を示す斜視図である。図３は、紙葉類処理装置１００の概略的な側面からの断面図である。図４は、図３のＡ−Ａ断面図である。
【００７３】
図３に示すように、タイミングベルトなどで構成される搬送ベルト１１０は、プーリ１１２、１１３、１１４、１１５、１１６、１１７と、図３には図示しないが、これらより奥に位置するプーリ１１８とに掛け渡されている。ここで、図４に示すように、奥に位置するプーリ１１８は、プーリ１１８ａ、１１８ｂからなり、大径に形成されている。
【００７４】
押圧ローラ１１９、１２０、１２１は、プーリ１１２、１１３、１１４の対向位置に配設され、それぞれスプリングに付勢されてプーリ１１２、１１３、１１４との間で搬送ベルト１１０を挟圧している。上記した搬送ベルト１１０は、図４に示すように、２列の搬送ベルト１１０ａ、１１０ｂとして構成されている。また、この２列の搬送ベルト１１０ａ、１１０ｂは、それぞれ、プーリ１１２ａ、１１３ａ、１１４ａ、１１５ａ、１１６ａ、１１７ａ、プーリ１１２ｂ、１１３ｂ、１１４ｂ、１１５ｂ、１１６ｂ、１１７ｂに掛けられている。なお、プーリ１１８ａ、１１８ｂは、回転軸１２２上に回転軸１２２に対してフリーに回転するように配置されている。また、回転軸１２２が剥き出しになる部分には、スペーサ１２３ａ、１２３ｂ、１２３ｃが設けられている。
【００７５】
紙葉類送り部材１２４は、円盤状であり、上記したプーリ１１８に固定され、プーリ１１８と共に回転する。図４に示すように、紙葉類送り部材１２４は、紙葉類送り部材１２４ａ、１２４ｂから構成され、紙葉類送り部材１２４ａ、１２４ｂの外周は、２個のプーリ１１８ａ、１１８ｂのそれぞれに１個ずつ、搬送ベルト１１０ａ、１１０ｂの外周より外側に位置するようにして固定されている。紙葉類送り部材１２４ａ、１２４ｂは、ゴムなどの弾性部材により形成されている。また、紙葉類送り部材１２４ａ、１２４ｂには、その外周に所定間隔をおいて多数の弾性を有する送り突起部１２５ａ、１２５ｂが形成される。送り突起部１２５ａ、１２５ｂは、プーリ１１８ａ、１１８ｂの外周よりも外側に先端が突出する長さに設定される。
【００７６】
また、図４に示すように、紙葉類処理装置１００には、プーリ１１２ａ、１１２ｂを回転させるための駆動モータ１５０が設けられ、駆動モータ１５０の駆動軸には、ウォームネジ１５１が取り付けられている。また、プーリ１１２ａ、１１２ｂの回転軸１５２には、ウォームネジ１５１と係合するウォーム歯車１５３が固定されている。この構成により、駆動モータ１５０の駆動により、プーリ１１２ａ、１１２ｂが回転し、搬送ベルト１１０ａ、１１０ｂを介してその他のプーリ１１３ａ、１１４ａ、１１５ａ、１１６ａ、１１７ａ、１１３ｂ、１１４ｂ、１１５ｂ、１１６ｂ、１１７ｂおよび紙葉類送り部材１２４ａ、１２４ｂが回転し、搬送手段として機能する。
【００７７】
図３に示された、分岐通路１４３に紙葉類Ｗを導くために、紙葉類Ｗを反転させる分岐ガイド１３０は、例えば、半円筒状などの円弧筒状に形成されている。この分岐ガイド１３０は、図４に示すように、紙葉類送り部材１２４ａ、１２４ｂに対応して、２つの分岐ガイド１３０ａ、１３０ｂで構成されている。ここで、紙葉類Ｗと分岐ガイド１３０ａ、１３０ｂとの間には摩擦抵抗が発生するが、この摩擦抵抗力よりも送り突起部１２５ａ、１２５ｂと紙葉類Ｗとの摩擦抵抗力が大きくなるように、分岐ガイド１３０ａ、１３０ｂは、摩擦係数の小さい材料で構成されることが好ましい。この分岐ガイド１３０ａ、１３０ｂを構成する材料として、具体的には、合成樹脂や金属板にテフロン(登録商標）シートなどを貼付したものなどが挙げられる。
【００７８】
上記した筐体に回転自在に軸支された回転軸１２２には、歯車１３１ａ、１３１ｂがそれぞれ回転軸１２２を軸支する筐体の内面にほぼ接して配置されている。分岐ガイド１３０ａ、１３０ｂは、歯車１３１ａ、１３１ｂのそれぞれの内側に一つずつ、歯車１３１ａ、１３１ｂと同心的に、その一端部において固定され、歯車１３１ａ、１３１ｂとともに回転軸１２２を中心として回転自在となっている。
【００７９】
分岐ガイド１３０ａ、１３０ｂは、それぞれ紙葉類送り部材１２４ａ、１２４ｂの外周の外側を覆うように配設されている。ここで、紙葉類Ｗを紙葉類排出口１４０から排出する本線通路１４１に沿って搬送する場合には、分岐ガイド１３０ａ、１３０ｂは、分岐ガイド１３０ａ、１３０ｂの一端部が本線通路１４１側に進出しない位置に回転される。なお、紙葉類排出口１４０には、紙葉類排出口１４０に連通して、例えば、紙葉類Ｗを島端の紙葉類回収部（図示しない）に搬送するための紙葉類搬送手段（図示しない）を設けてもよい。これによって、紙葉類収容部１４２に収容されない紙葉類Ｗを紙葉類回収部に搬送することができる。
【００８０】
なお、紙葉類搬送手段としては、紙葉類排出口１４０から排出された紙葉類Ｗを左折（または右折）させる導出路を備え、左折後には島の長手方向両側に並べて配設された遊技機裏の島内中間に位置したプラスチックケース内を島端の紙葉類回収部（図示しない）、例えば紙葉類が紙幣であれば紙幣収納庫、カードであればカード収納庫に向けて搬送するものである。プラスチックケースは、遊技機と台間機３を合算した島長手方向の寸法に略一致した寸法で１つのユニットが形成され、このユニットは、遊技機および台間機３毎に遊技機の裏を島長手方向全体にかけて連結される。１ユニットのプラスチックケース内には、紙葉類Ｗを搬送するための無端ベルトが掛け渡され、プラスチックケース内の搬送通路を紙葉類Ｗの一方の片面を無端ベルトが圧接し、紙葉類Ｗの他方の片面を回転自在のローラが圧接して、挟圧搬送される構成などが例示できる。
【００８１】
一方、紙葉類Ｗを紙葉類収容部１４２に収容する分岐通路１４３に沿って搬送する場合には、分岐ガイド１３０ａ、１３０ｂは、分岐ガイド１３０ａ、１３０ｂの一端部が本線通路１４１側に進出する位置（例えば、図３に示す位置）、すなわちプーリ１１８ａ、１１８ｂ奥側半周部を覆う位置に回転される。この場合には、分岐ガイド１３０ａ、１３０ｂとプーリ１１８ａ、１１８ｂとの間に、紙葉類Ｗの搬送通路、すなわち分岐通路１４３が形成される。
【００８２】
ここで、分岐ガイド１３０ａ、１３０ｂの内周径は、プーリ１１８ａ、１１８ｂの外周径より大きく、紙葉類送り部材１２４ａ、１２４ｂの送り突起部１２５ａ、１２５ｂを含む外周径よりは小さく形成される。ただし、送り突起部１２５ａ、１２５ｂが分岐ガイド１３０ａ、１３０ｂに触れないよう、分岐ガイド１３０ａ、１３０ｂの内周には溝１３２ａ、１３２ｂが刻設されている。これらの溝１３２ａ、１３２ｂを設けることで、送り突起部１２５ａ、１２５ｂとの摩擦抵抗がない状態で、分岐ガイド１３０ａ、１３０ｂをスムーズに回転させることができる。
【００８３】
また、図４に示すように、紙葉類処理装置１００には、駆動軸に小歯車１３３を取り付けた駆動モータ１３４（ステップモータ）が設けられている。小歯車１３３は、歯車１３１ｂと係合し、駆動モータ１３４の回転により、歯車１３１ｂと分岐ガイド１３０ｂおよび回転軸１２２で繋がれた歯車１３１ａと分岐ガイド１３０ａが回転する。なお、回転軸１２２の一端には、エンコーダ１３５が設けられ、光学センサ１３６で読み取ることで、分岐ガイド１３０ａ、１３０ｂの回転位置の検出を行うことができる。
【００８４】
また、図３に示すように、紙葉類収容部１４２は、紙葉類処理装置１００内のプーリ１１５、１１６、１１７側の空間に形成され、紙葉類送り部材１２４側の一部の領域を除いて、導入板１３７によって搬送ベルト１１０とは非接触の状態となっている。そして、分岐ガイド１３０によって反転した紙葉類Ｗの先端が紙葉類収納部１４２内の紙葉類受入口１１１側の端部に達した状態となり、紙葉類Ｗがほぼ水平方向に収納されるように、紙葉類収容部１４２および導入板１３７が配設される。また、紙葉類収容部１４２は、紙葉類排出口１４０に連通しており、紙葉類収容部１４２から紙葉類排出口１４０への搬送を可能としている。ここで、紙葉類収容部１４２から紙葉類排出口１４０への搬送通路において、紙葉類収容部１４２側の壁面１４４は、曲面に形成されている。これによって、紙葉類収容部１４２に収容された紙葉類Ｗは、その後端部を分岐ガイド１３０側に寄せた状態で積層される。なお、この壁面１４４の形状は、曲面に限られるものではなく、紙葉類Ｗの後端部を分岐ガイド１３０側に寄せた状態で積層できる形状ならばよい。
【００８５】
なお、この導入板１３７は、２つの搬送ベルト１１０ａ、１１０ｂに対応する領域が開口された構成としてもよい。この場合、例えば、紙葉類収容部１４２に紙葉類Ｗを収容するときには、新たに収容されてくる紙葉類Ｗに対応させて、すなわち、新たに収容されてくる紙葉類Ｗのみが、開口部を介して搬送ベルト１１０ａ、１１０ｂに接触するように、導入板１３７を徐々に搬送ベルト１１０ａ、１１０ｂ側に移動する機構を設けてもよい。これによって、すでに収容されている紙葉類Ｗが開口部を介して搬送ベルト１１０ａ、１１０ｂに接触して不具合を生じるのを防止することができる。
【００８６】
さらに、紙葉類収容部１４２に収容された紙葉類Ｗを紙葉類排出口１４０から排出するときには、排出される導入板１３７側の紙葉類Ｗのみが開口部を介して搬送ベルト１１０ａ、１１０ｂに接触するように、排出される紙葉類Ｗに対応させて、導入板１３７を徐々に紙葉類収容部１４２側に移動する機構を設けてもよい。これによって、排出される紙葉類Ｗ以外の紙葉類Ｗが開口部を介して搬送ベルト１１０ａ、１１０ｂに接触して不具合を生じるのを防止することができる。
【００８７】
また、紙葉類収納部１４２の壁面１４４の曲面が形成される紙葉類収納部１４２側にかけて、金属性の押圧板１７０が、紙葉類収納部１４２を構成する筐体の外側壁の凹部に、または外側壁に沿って配置されている。この押圧板１７０は、外側壁の凹部または外側壁に、紙葉類受入口１１１側が回転軸１７１によって回転自在に軸支されている。紙葉類Ｗを紙葉類排出口１４０から排出する際には、押圧板１７０が積層した紙葉類Ｗを紙葉類送り部材１２４側に押圧し、紙葉類送り部材１２４を紙葉類Ｗを収納する場合と反対方向に回転させて、最後に収納した紙葉類Ｗを排出する。押圧板１７０は、紙葉類収納部１４２を構成する筐体の外側壁に埋設された磁石１７２のＯＮ−ＯＦＦによって、この外側壁と離接するように構成されている。この押圧板１７０を設けることで、紙葉類収納部１４２に収納された紙葉類Ｗを排出する際、紙葉類送り部材１２４ａ、１２４ｂの送り突起部１２５ａ、１２５ｂと最後に収納された紙葉類Ｗの側面とを確実に接触させることができる。
【００８８】
本線通路１４１の紙葉類受入口１１１側には、紙葉類検知センサ１６０が配設されている。この紙葉類検知センサ１６０は、紙葉類受入口１１１から挿入された紙葉類Ｗを感知するもので、例えば、光学式センサなどで構成される。この紙葉類検知センサ１６０で検知された信号は、紙葉類処理装置１００の制御部（図示しない）に出力され、それに基づいて、各種駆動モータなどが制御される。
【００８９】
また、紙葉類検知センサ１６０が配設された位置よりもさらに奥の本線通路１４１には、識別センサ１６１ａ、１６１ｂが配設されている。この識別センサ１６１ａ、１６１ｂは、紙葉類受入口１１１から挿入された紙葉類Ｗを識別するもので、例えば、反射型光センサなどで構成される。なお、識別センサ１６１ａ、１６１ｂは、反射型光センサに限られるものではなく、例えば、透過光センサや磁気センサを用いてもよい。これらの識別センサ１６１ａ、１６１ｂで検知された信号は、紙葉類処理装置１００の制御部（図示しない）に出力され、制御部は、それに基づいて、予め入力されている紙葉類Ｗのパターンデータとを比較して識別処理を行う。この識別センサ１６１ａ、１６１ｂおよび制御部によって、紙葉類識別手段が構成される。
【００９０】
次に、紙葉類処理装置１００の動作について、図５〜図１２を参照して説明する。
【００９１】
ここで、図５〜図１２は、紙葉類処理装置１００の各動作工程を示す概略的な側面からの断面図である。
【００９２】
紙葉類処理装置１００では、（Ａ−１）紙葉類Ｗの識別処理、（Ｂ−１）紙葉類Ｗの返却処理、（Ｃ−１）紙葉類Ｗを本線通路１４１を通して紙葉類排出口１４０に搬送する本線通路搬送処理、（Ｄ−１）紙葉類Ｗを分岐通路１４３を通して紙葉類収容部１４２に収容する紙葉類収容処理、（Ｅ−１）紙葉類収容部１４２に収容された紙葉類Ｗを排出して紙葉類排出口１４０に搬送する紙葉類排出処理の主に５種の処理動作を行う。
【００９３】
まず、（Ａ−１）紙葉類Ｗの識別処理について説明する。
【００９４】
紙葉類受入口１１１から挿入された紙葉類Ｗを、紙葉類検知センサ１６０が検知すると、その情報に基づいて、制御部（図示しない）は、駆動モータ１５０を駆動させる。これによって、搬送ベルト１１０が回転（図５では右周り方向）され、紙葉類Ｗは、識別センサ１６１ａ、１６１ｂを所定範囲にわたって通過するまで送り込まれる（図５参照）。識別センサ１６１ａ、１６１ｂで検知された信号は、制御部（図示しない）に出力され、制御部は、それに基づいて、予め入力されている紙葉類Ｗのパターンデータとを比較する。そして、制御部は、その比較した結果に基づいて、紙葉類Ｗが本物であるか否かを判定する。なお、この識別処理において、紙葉類Ｗの種別、例えば、紙葉類Ｗが紙幣の場合には、その紙幣の種類などを判定してもよい。
【００９５】
次に、（Ｂ−１）紙葉類Ｗの返却処理について説明する。
【００９６】
この紙葉類Ｗの返却処理は、例えば、上記した紙葉類Ｗの識別処理において、紙葉類Ｗが本物でないと判定された場合に実行される処理である。
【００９７】
紙葉類Ｗの返却処理では、制御部からの情報に基づいて、駆動モータ１５０が逆方向（図６では左周り方向）に回転駆動され、搬送ベルト１１０が逆回転（図６では左周り方向）し、紙葉類受入口１１１から紙葉類Ｗが返却される（図６参照）。
【００９８】
次に、（Ｃ−１）紙葉類Ｗを本線通路１４１を通して紙葉類排出口１４０に搬送する本線通路搬送処理について説明する。
【００９９】
この紙葉類Ｗの返却処理は、例えば、上記した紙葉類Ｗの識別処理において、紙葉類Ｗが本物であると判定された場合に実行される処理である。
【０１００】
本線通路搬送処理では、制御部からの情報に基づいて、駆動モータ１３４を駆動させ、分岐ガイド１３０の本線通路１４１側の端部が紙葉類Ｗを紙葉類排出口１４０に導くのに妨げとならない位置まで、分岐ガイド１３０を回転させる。さらに、制御部からの情報に基づいて、駆動モータ１５０を駆動させる。これによって、搬送ベルト１１０が回転（図７では右周り方向）され、識別処理された紙葉類Ｗは、紙葉類排出口１４０に導かれる（図７参照）。
【０１０１】
次に、（Ｄ−１）紙葉類Ｗを分岐通路１４３を通して紙葉類収容部１４２に収容する紙葉類収容処理について説明する。
【０１０２】
この紙葉類Ｗの返却処理は、例えば、上記した紙葉類Ｗの識別処理において、紙葉類Ｗが本物であると判定された場合に実行される処理である。
【０１０３】
紙葉類収容処理では、制御部からの情報に基づいて、駆動モータ１３４を駆動させ、分岐ガイド１３０の本線通路１４１側の端部が、本線通路１４１側に進出する位置、つまり、分岐ガイド１３０が紙葉類送り部材１２４の紙葉類排出口１４０側半分を覆う位置まで、分岐ガイド１３０を回転させる。さらに、制御部からの情報に基づいて、駆動モータ１５０を駆動させる。これによって、搬送ベルト１１０が回転（図８では右周り方向）され、識別処理された紙葉類Ｗの先端部が分岐ガイド１３０まで至ると、紙葉類Ｗの先端部は、分岐ガイド１３０の内側面で下方に案内される。そして、紙葉類Ｗは、分岐ガイド１３０と送り突起部１２５との間に挟まれ、送り突起部１２５との摩擦力によって、さらに分岐通路１４３に搬送される（図８参照）。
【０１０４】
紙葉類Ｗの先端部が分岐ガイド１３０の終端を通過すると、紙葉類Ｗの先端部は、導入板１３７とすでに収容されている紙葉類Ｗとの間に導入される。さらに紙葉類Ｗを送り込んで、例えば、光学センサ１３６からの情報に基づいて、分岐ガイド１３０の回転位置を検出し、紙葉類Ｗが所定の位置まで収容されたことを検知したときには、制御部からの情報に基づいて、駆動モータ１５０の駆動を停止する（図９参照）。また、ここでは、図９に示すように、上記した所定の位置を、紙葉類Ｗの後端部が分岐ガイド１３０と送り突起部１２５との間に挟まれた状態の位置とする。
【０１０５】
続いて、制御部からの情報に基づいて、駆動モータ１３４を駆動させ、分岐ガイド１３０を本線通路１４１側に回転（図１０では左周り方向）させ、分岐ガイド１３０と送り突起部１２５との間に挟まれた紙葉類Ｗの後端部を解放し、すでに収容されている紙葉類Ｗ上にすべての紙葉類Ｗを積層する（図１０参照）。
【０１０６】
次に、（Ｅ−１）紙葉類収容部１４２に収容された紙葉類Ｗを排出して紙葉類排出口１４０に搬送する紙葉類排出処理について説明する。
【０１０７】
例えば、紙葉類Ｗを分岐通路１４３を通して紙葉類収容部１４２に収容するための分岐ガイド１３０位置（図８参照）から、制御部からの情報に基づいて、駆動モータ１３４を駆動させ、紙葉類収容部１４２に収容された最上部の紙葉類Ｗの後端部が、送り突起部１２５に直接接触するように、分岐ガイド１３０を本線通路１４１側に回転（図１１では左周り方向）させる（図１１参照）。ここで、上記したように、紙葉類収容部１４２から紙葉類排出口１４０への搬送通路において、押圧板１７０は、紙葉類収納部１４２を構成する筐体の外側壁に埋設された磁石１７２のＯＮによって、回転軸１７１を中心に搬送ベルト１１０側に回転し、紙葉類送り部材１２４ａ、１２４ｂの送り突起部１２５ａ、１２５ｂと最後に収納された最上部の紙葉類Ｗの後端部の一方の面とを接触させる。
【０１０８】
続いて、制御部からの情報に基づいて、駆動モータ１５０が逆方向（図１２では左周り方向）に回転駆動され、搬送ベルト１１０が逆回転（図１２では左周り方向）し、最上部の紙葉類Ｗが、送り突起部１２５との摩擦力によって、紙葉類排出口１４０に導かれる（図１２参照）。
【０１０９】
ここで、所定数の紙葉類Ｗを排出した後、再び分岐ガイド１３０を介して紙葉類収容部１４２に収容された最上部の紙葉類Ｗの後端部を送り突起部１２５に接触させる場合には、分岐ガイド１３０は、収容されている紙葉類Wの先端部側から後端部側に沿うように回転（図１２では左周り方向）されることが好ましい。これによって、紙葉類Ｗの後端部を巻き込むことなく、最上部の紙葉類Ｗと送り突起部１２５との間に、分岐ガイド１３０を配置することができる。また、ここで、磁石１７２のＯＦＦにして押圧板１７０を再び紙葉類収納部１４２を構成する筐体の外側壁の凹部に、または外側壁に沿って密着させ、収納された紙葉類Ｗが紙葉類送り部材１２４ａ、１２４ｂの送り突起部１２５ａ、１２５ｂに対して圧接した状態となっているのを解除する。
【０１１０】
上記したように、紙葉類処理装置１００によれば、紙葉類Ｗを本線通路１４１を通して紙葉類排出口１４０に搬送する本線通路搬送処理、紙葉類Ｗを分岐通路１４３を通して紙葉類収容部１４２に収容する紙葉類収容処理、および紙葉類収容部１４２に収容された紙葉類Ｗを排出して紙葉類排出口１４０に搬送する紙葉類排出処理を実行することができる。これによって、例えば、紙葉類排出口１４０から紙葉類Ｗが排出された以降の搬送処理において、搬送不良などを生じても、一時的に紙葉類収容部１４２に収容することができる。さらに、紙葉類排出口１４０から紙葉類Ｗが排出された以降の搬送不良が改善された場合には、一時的に紙葉類収容部１４２に収容されていた紙葉類Ｗを、紙葉類排出口１４０からその搬送手段に排出することができる。
【０１１１】
また、分岐ガイド１３０を本線通路１４１側に回転（図１０では左周り方向）させ、分岐ガイド１３０と送り突起部１２５との間に挟まれた紙葉類Ｗの後端部を解放し、すでに収容されている紙葉類Ｗ上にすべての紙葉類Ｗを積層することができる。これによって、紙葉類Ｗの後端部を分岐ガイド１３０と送り突起部１２５との間に挟まれなくなるまで送り込む必要がなく、紙葉類収容部１４２の長手方向（紙葉類収容部１４２に紙葉類Ｗを搬送する方向）のサイズを小さくすることができ、紙葉類処理装置１００のコンパクト化を図ることができる。
【０１１２】
（第２の実施形態の紙葉類処理装置２００）
第２の実施形態の紙葉類処理装置２００について、図１３〜図１５を参照して説明する。
【０１１３】
図１３は、紙葉類処理装置２００の概略的な側面からの断面図である。図１４は、図１３のＡ−Ａ断面図である。図１５は、紙葉類処理装置２００の筐体内の一部を上方からみたときの概略図である。
【０１１４】
なお、紙葉類処理装置２００の外観は、図２に示した第１の実施形態の紙葉類処理装置１００と同じなので、図２を参照して説明する。
【０１１５】
図１３に示すように、タイミングベルトなどで構成される搬送ベルト２１０は、プーリ２１１、２１２、２１３、２１４に掛け渡されている。図１４に示すように、搬送ベルト２１０は、本線通路２１５の中央に沿って一列で構成されている。また、紙葉類処理装置２００には、プーリ２１１を回転させるための駆動モータ（図示しない）が設けられている。この構成により、駆動モータを駆動させることで、プーリ２１１が回転し、搬送ベルト２１０を介してその他のプーリ２１２、２１３、２１４が回転し、搬送手段として機能する。
【０１１６】
また、本線通路２１５の下部で、かつ後述する押圧ベルト２１６ｂ、２１７ｂ、２１８ｂ、２１９ｂの各間には、紙葉類搬送支持部材２５０が設けられ、搬送される紙葉類Wを下方から支持している。また、この紙葉類搬送支持部材２５０は、後述する紙葉類収容部２４０においても、収容される紙葉類Wを下方から支持している。
【０１１７】
押圧ベルト２１６ａ、２１６ｂ、２１７ａ、２１７ｂ、２１８ａ、２１８ｂ、２１９ａ、２１９ｂは、図１４に示すように、搬送ベルト２１０の上方および下方に本線通路２１５に沿って２列に配設されている。押圧ベルト２１６ａ、２１６ｂ、２１７ａ、２１７ｂ、２１８ａ、２１８ｂ、２１９ａ、２１９ｂは、それぞれ、プーリ２２０ａ、２２０ｂ、２２１ａ、２２１ｂ、２２２ａ、２２２ｂ、２２３ａ、２２３ｂに掛けられている。なお、押圧ベルト２１６ａ、２１６ｂ、２１７ａ、２１７ｂ、２１８ａ、２１８ｂ、２１９ａ、２１９ｂは、フリーに回転するように配置されている。
【０１１８】
また、図１４に示すように、プーリ２２０ａ、２２１ａ、２２２ａ、２２３ａは、プーリ支持部材２３０ａに回転可能に支持されている。また、プーリ２２０ｂ、２２１ｂ、２２２ｂ、２２３ｂは、プーリ支持部材２３０ｂに回転可能に支持されている。プーリ支持部材２３０ａ、２３０ｂには、駆動伝達部材２３１ａ、２３１ｂの一端が、それぞれ、プーリ支持部材２３０ａ、２３０ｂが紙葉類処理装置２００の幅方向（図１４の紙面に垂直な方向）に摺動可能なように接続されている。また、駆動伝達部材２３１ａ、２３１ｂは、駆動伝達部材支持部２３２ａ、２３２ｂによって回転可能に支持され、駆動伝達部材２３１ａ、２３１ｂの他端に設けられた駆動装置２３３ａ、２３３ｂからの動力を利用して、駆動伝達部材支持部２３２ａ、２３２ｂを回転軸として、プーリ支持部材２３０ａ、２３０ｂを上下方向に移動する。
【０１１９】
ここで、駆動装置２３３ａ、２３３ｂは、図１４に示すように、駆動伝達部材２３１ａ、２３１ｂの他端に上下方向の動力を負荷するものであればよく、例えば、ソレノイドなどが用いられる。例えば、駆動伝達部材２３１ａによって、プーリ支持部材２３０ａの他端が下方向に移動されると、駆動伝達部材支持部２３２ａを回転軸として、駆動伝達部材２３１ａの一端が上方の力を受け、プーリ支持部材２３０ａを上方に移動する。これによって、押圧ベルト２１６ａ、２１７ａ、２１８ａ、２１９ａは、上方に移動される。一方、駆動伝達部材２３１ｂによって、プーリ支持部材２３０ｂの他端が上方向に移動されると、駆動伝達部材支持部２３２ｂを回転軸として、駆動伝達部材２３１ｂの一端が下方の力を受け、プーリ支持部材２３０ｂを下方に移動する。これによって、押圧ベルト２１６ｂ、２１７ｂ、２１８ｂ、２１９ｂは、下方に移動される。
【０１２０】
ここで、通常、本線通路２１５を搬送される紙葉類Ｗは、搬送ベルト２１０および押圧ベルト２１６ａ、２１６ｂ、２１７ａ、２１７ｂ、２１８ａ、２１８ｂ、２１９ａ、２１９ｂとの間に挟持されて搬送される。また、上記したように、押圧ベルト２１６ａ、２１７ａ、２１８ａ、２１９ａを上方に、押圧ベルト２１６ｂ、２１７ｂ、２１８ｂ、２１９ｂを下方に移動することで、押圧ベルト２１６ａ、２１６ｂ、２１７ａ、２１７ｂ、２１８ａ、２１８ｂ、２１９ａ、２１９ｂによる一方からの紙葉類Ｗに対する支持を解除することができる。
【０１２１】
さらに、図１４に示すように、プーリ支持部材２３０ａ、２３０ｂには、支柱２３５ａ、２３５ｂの一端が接続されている。この支柱２３５ａ、２３５ｂの他端には、支柱支持部材２３６ａ、２３６ｂが設けられている。
【０１２２】
図１５に示すように、支柱支持部材２３６ａは、紙葉類処理装置２００の幅方向（図１５の上下方向）に長辺を有する板状の部材で構成され、一方の側部には、駆動モータ２３７ａの駆動軸に取り付けられた小歯車２３８ａと係合する係合部２３９ａが形成されている。そして、駆動モータ２３７ａを駆動させることで、支柱支持部材２３６ａは、支持平板２３９上を摺動し、紙葉類処理装置２００の幅方向に移動可能となる。ここで、支持平板２３９と支柱支持部材２３６ａとの摺動面における摩擦抵抗は小さい方が好ましい。また、支柱支持部材２３６ａを、所定の方向に確実に摺動させるめ、例えば、支柱支持部材２３６ａの係合部２３９ａを有しない側の側面にガイド部材を当接させてもよい。
【０１２３】
なお、図１５には、支柱支持部材２３６ａ側を示したが、支柱支持部材２３６ｂ側においても同様の構成を有している。このような構成を有することで、プーリ支持部材２３０ａ、２３０ｂを、紙葉類処理装置２００の幅方向（図１５の上下方向）に移動することができ、これによって、押圧ベルト２１６ａ、２１６ｂ、２１７ａ、２１７ｂ、２１８ａ、２１８ｂ、２１９ａ、２１９ｂは、紙葉類処理装置２００の幅方向に移動可能となる。
【０１２４】
また、図１３に示すように、紙葉類収容部２４０は、本線通路２１５を構成する押圧ベルト２１６ａ、２１６ｂ、２１７ａ、２１７ｂ、２１８ａ、２１８ｂ、２１９ａ、２１９ｂの本線通路２１５とは反対側に形成される。また、紙葉類収容部２４０に積層された紙葉類Wが押圧ベルト２１６ａ、２１６ｂ、２１７ａ、２１７ｂ、２１８ａ、２１８ｂ、２１９ａ、２１９ｂに接触するのを防止するために、例えば、紙葉類収容部２４０に積層された最も押圧ベルト２１６ａ、２１６ｂ、２１７ａ、２１７ｂ、２１８ａ、２１８ｂ、２１９ａ、２１９ｂ側の紙葉類Wと、押圧ベルト２１６ａ、２１６ｂ、２１７ａ、２１７ｂ、２１８ａ、２１８ｂ、２１９ａ、２１９ｂとの間に接触防止部材を設置可能な接触防止手段を備えてもよい。
【０１２５】
ここで、接触防止手段として、例えば、紙葉類収容部２４０内に接触防止部材を突出可能に構成されたソレノイドなどを用いてもよい。そして、このソレノイドを、例えば、紙葉類処理装置２００の紙葉類受入口２４１側と紙葉類排出口２４２側とに備え、紙葉類収容部２４０に積層された最も押圧ベルト２１６ａ、２１６ｂ、２１７ａ、２１７ｂ、２１８ａ、２１８ｂ、２１９ａ、２１９ｂ側の紙葉類Wと、押圧ベルト２１６ａ、２１６ｂ、２１７ａ、２１７ｂ、２１８ａ、２１８ｂ、２１９ａ、２１９ｂとの間に、必要に応じて接触防止部材を突出させてもよい。なお、接触防止部材は、紙葉類収容部２４０に積層された最も押圧ベルト２１６ａ、２１６ｂ、２１７ａ、２１７ｂ、２１８ａ、２１８ｂ、２１９ａ、２１９ｂ側の紙葉類Wと、押圧ベルト２１６ａ、２１６ｂ、２１７ａ、２１７ｂ、２１８ａ、２１８ｂ、２１９ａ、２１９ｂとの接触を防止するものであればよく、例えば、棒状、板状などの部材で構成することができる。
【０１２６】
また、紙葉類収容部２４０は、紙葉類排出口２４２に連通しており、紙葉類収容部２４０から紙葉類排出口２４２への搬送を可能としている。ここで、紙葉類収容部２４０から紙葉類排出口２４２への搬送通路において、紙葉類Wをスムーズに排出できるように、例えば、紙葉類収容部２４０側の壁面２５５は、曲面などで形成することが好ましい。なお、紙葉類排出口２４２には、紙葉類排出口２４２に連通して、例えば、紙葉類Ｗを紙葉類回収部（図示しない）に搬送するための紙葉類搬送手段（図示しない）を設けてもよい。これによって、紙葉類収容部２４０に収容されない紙葉類Ｗを紙葉類回収部に搬送することができる。
【０１２７】
また、紙葉類収容部２４０に収容された紙葉類Wを下方から支持する紙葉類搬送支持部材２５０よりも紙葉類処理装置２００の筐体の側壁側には、紙葉類収容部２４０に収容された筐体の側壁側の紙葉類Wから順に紙葉類排出口２４２側に導く、紙葉類排出手段２５２が設けられている。この紙葉類排出手段２５２は、プーリ２５３、２５３と、これらのプーリ２５３、２５３に掛け渡された排出ベルト２５４とから構成されている。
【０１２８】
本線通路２１５の紙葉類受入口２４１側には、紙葉類検知センサ２６０が配設されている。この紙葉類検知センサ２６０は、紙葉類受入口２４１から挿入された紙葉類Ｗを感知するもので、例えば、光学式センサなどで構成される。この紙葉類検知センサ２６０で検知された信号は、紙葉類処理装置２００の制御部（図示しない）に出力され、それに基づいて、各種駆動モータなどが制御される。
【０１２９】
また、紙葉類検知センサ２６０が配設された位置よりもさらに奥の本線通路２１５には、識別センサ２６１ａ、２６１ｂが配設されている。この識別センサ２６１ａ、２６１ｂは、紙葉類受入口２４１から挿入された紙葉類Ｗを識別するもので、例えば、反射型光センサなどで構成される。なお、識別センサ２６１ａ、２６１ｂは、反射型光センサに限られるものではなく、例えば、磁気センサや赤外線センサを用いてもよい。これらの識別センサ２６１ａ、２６１ｂで検知された信号は、紙葉類処理装置２００の制御部（図示しない）に出力され、制御部は、それに基づいて、予め入力されている紙葉類Ｗのパターンデータとを比較して識別処理を行う。この識別センサ２６１ａ、２６１ｂおよび制御部によって、紙葉類識別手段が構成される。
【０１３０】
また、本線通路２１５の紙葉類排出口２４２側には、紙葉類検知センサ２６２を設けてもよい。この紙葉類検知センサ２６２は、紙葉類排出口２４２から排出される紙葉類Ｗを感知するもので、例えば、光学式センサなどで構成される。この紙葉類検知センサ２６２で検知された信号は、紙葉類処理装置２００の制御部（図示しない）に出力される。
【０１３１】
次に、紙葉類処理装置２００の動作について、図１６〜図２６を参照して説明する。
【０１３２】
ここで、図１６〜図１９、図２２および図２４〜図２６は、紙葉類処理装置２００の各動作工程を示す概略的な側面からの断面図である。また、図２０、図２１および図２３は、図１３に示したＡ−Ａ断面と同断面における各動作工程を示す断面図である。
【０１３３】
紙葉類処理装置２００では、（Ａ−２）紙葉類Ｗの識別処理、（Ｂ−２）紙葉類Ｗの返却処理、（Ｃ−２）紙葉類Ｗを本線通路２１５を通して紙葉類排出口２４２に搬送する本線通路搬送処理、（Ｄ−２）紙葉類Ｗを分岐通路を通して紙葉類収容部２４０に収容する紙葉類収容処理、（Ｅ−２）紙葉類収容部２４０に収容された紙葉類Ｗを排出して紙葉類排出口２４２に搬送する紙葉類排出処理の主に５種の処理動作を行う。
【０１３４】
まず、（Ａ−２）紙葉類Ｗの識別処理について説明する。
【０１３５】
紙葉類受入口２４１から挿入された紙葉類Ｗを、紙葉類検知センサ２６０が検知すると、その情報に基づいて、制御部（図示しない）は、駆動モータ（図示しない）を駆動させる。これによって、搬送ベルト２１０が回転（図１６では左周り方向）され、紙葉類Ｗは、識別センサ２６１ａ、２６１ｂを所定範囲にわたって通過するまで送り込まれる（図１６参照）。識別センサ２６１ａ、２６１ｂで検知された信号は、制御部（図示しない）に出力され、制御部は、それに基づいて、予め入力されている紙葉類Ｗのパターンデータとを比較する。そして、制御部は、その比較した結果に基づいて、紙葉類Ｗが本物であるか否かを判定する。なお、この識別処理において、紙葉類Ｗの種別、例えば、紙葉類Ｗが紙幣の場合には、その紙幣の種類などを判定してもよい。
【０１３６】
次に、（Ｂ−２）紙葉類Ｗの返却処理について説明する。
【０１３７】
この紙葉類Ｗの返却処理は、例えば、上記した紙葉類Ｗの識別処理において、紙葉類Ｗが本物でないと判定された場合に実行される処理である。
【０１３８】
紙葉類Ｗの返却処理では、制御部からの情報に基づいて、駆動モータ（図示しない）が逆方向（図１７では右周り方向）に回転駆動され、搬送ベルト２１０が逆回転（図１７では右周り方向）し、紙葉類受入口２４１から紙葉類Ｗが返却される（図１７参照）。
【０１３９】
次に、（Ｃ−２）紙葉類Ｗを本線通路２１５を通して紙葉類排出口２４２に搬送する本線通路搬送処理について説明する。
【０１４０】
この紙葉類Ｗの返却処理は、例えば、上記した紙葉類Ｗの識別処理において、紙葉類Ｗが本物であると判定された場合に実行される処理である。
【０１４１】
本線通路搬送処理では、制御部からの情報に基づいて、駆動モータ（図示しない）を駆動させる。これによって、搬送ベルト２１０が回転（図１８では左周り方向）され、識別処理された紙葉類Ｗは、紙葉類排出口２４２に導かれる（図１８参照）。
【０１４２】
次に、（Ｄ−２）紙葉類Ｗを分岐通路を通して紙葉類収容部２４０に収容する紙葉類収容処理について説明する。
【０１４３】
この紙葉類Ｗの返却処理は、例えば、上記した紙葉類Ｗの識別処理において、紙葉類Ｗが本物であると判定された場合に実行される処理である。
【０１４４】
紙葉類収容処理では、制御部からの情報に基づいて、駆動モータ（図示しない）を駆動させ、紙葉類Wを本線通路２１５の所定位置まで搬送する（図１９参照）。なお、このときには、各押圧ベルト２１６ａ、２１６ｂ、２１７ａ、２１７ｂ、２１８ａ、２１８ｂ、２１９ａ、２１９ｂは、図２０に示すように、搬送される紙葉類Wを支持した状態である。
【０１４５】
続いて、分岐通路を形成し、紙葉類Wを紙葉類収容部２４０に収容するための動作に移る。制御部からの情報に基づいて、駆動装置２３３ａ、２３３ｂを駆動させ、押圧ベルト２１６ａ、２１７ａ、２１８ａ、２１９ａは、上方に移動し、押圧ベルト２１６ｂ、２１７ｂ、２１８ｂ、２１９ｂは、下方に移動する（図２１参照）。この状態では、紙葉類Wは、押圧ベルト２１６ａ、２１６ｂ、２１７ａ、２１７ｂ、２１８ａ、２１８ｂ、２１９ａ、２１９ｂとは接触しておらず、紙葉類Wは、下部から紙葉類搬送支持部材２５０によって支持され、さらに、搬送ベルト２１０または紙葉類収容部２４０に支持される。
【０１４６】
続いて、制御部からの情報に基づいて、駆動モータ２３７ａ、２３７ｂを駆動させて、押圧ベルト２１６ａ、２１６ｂ、２１７ａ、２１７ｂ、２１８ａ、２１８ｂ、２１９ａ、２１９ｂを搬送ベルト２１０側に移動する（図２２参照）。
【０１４７】
続いて、制御部からの情報に基づいて、駆動装置２３３ａ、２３３ｂを駆動させ、押圧ベルト２１６ａ、２１７ａ、２１８ａ、２１９ａは、下方に移動し、押圧ベルト２１６ｂ、２１７ｂ、２１８ｂ、２１９ｂは、上方に移動する（図２３参照）。この状態では、紙葉類Wは、押圧ベルト２１６ａ、２１６ｂ、２１７ａ、２１７ｂ、２１８ａ、２１８ｂ、２１９ａ、２１９ｂと接触している。
【０１４８】
続いて、制御部からの情報に基づいて、駆動モータ２３７ａを駆動させて、紙葉類Wを紙葉類収容部２４０側に押しながら、押圧ベルト２１６ａ、２１６ｂ、２１７ａ、２１７ｂ、２１８ａ、２１８ｂ、２１９ａ、２１９ｂを紙葉類収容部２４０側に移動する（図２２参照）。この本線通路２１５から略水平方向に紙葉類Wを移動するための通路が、分岐通路として機能する。この動作によって、紙葉類Wは、紙葉類収容部２４０に収容される（図２４参照）。
【０１４９】
図示しないが、この状態で、上述した接触防止手段を稼動させ、紙葉類収容部２４０に積層された最も押圧ベルト２１６ａ、２１６ｂ、２１７ａ、２１７ｂ、２１８ａ、２１８ｂ、２１９ａ、２１９ｂ側の紙葉類Wと、押圧ベルト２１６ａ、２１６ｂ、２１７ａ、２１７ｂ、２１８ａ、２１８ｂ、２１９ａ、２１９ｂとの間に接触防止部材を配置してもよい。
【０１５０】
続いて、制御部からの情報に基づいて、駆動モータ２３７ａを駆動させて、押圧ベルト２１６ａ、２１６ｂ、２１７ａ、２１７ｂ、２１８ａ、２１８ｂ、２１９ａ、２１９ｂを若干搬送ベルト２１０側に移動し、紙葉類Wを紙葉類収容部２４０に収容するための動作に移る前の状態に戻す（図１３参照）。
【０１５１】
次に、（Ｅ−２）紙葉類収容部２４０に収容された紙葉類Ｗを排出して紙葉類排出口２４２に搬送する紙葉類排出処理について説明する。
【０１５２】
まず、制御部からの情報に基づいて、駆動モータ２３７ａ、２３７ｂを駆動させて、押圧ベルト２１６ａ、２１６ｂ、２１７ａ、２１７ｂ、２１８ａ、２１８ｂ、２１９ａ、２１９ｂを紙葉類収容部２４０側に移動し、積層されている紙葉類Wに当接させる（図２５参照）。この際、積層されている紙葉類Wを若干押圧するのが好ましい。
【０１５３】
続いて、制御部からの情報に基づいて、駆動モータ（図示しない）を駆動させて、排出ベルト２５４を回転（図２６では右周り方向）させ、紙葉類Wを紙葉類排出口２４２に導く（図２６参照）。なお、排出される紙葉類Wの後端部を搬送する際、この紙葉類Wと隣接して積層されている紙葉類Wに排出ベルト２５４が接触するため、隣接する紙葉類Wを若干紙葉類排出口２４２側に搬送することもある。この場合には、排出すべく紙葉類Wを排出後、排出ベルト２５４を逆に回転させ、隣接する紙葉類Wを元の位置に戻すようにしてもよい。なお、排出すべく紙葉類Wが排出されたことの検知は、紙葉類検知センサ２６２からの検知信号に基づいて判定することができる。
【０１５４】
上記したように、紙葉類処理装置２００によれば、紙葉類Ｗを本線通路２１５を通して紙葉類排出口２４２に搬送する本線通路搬送処理、紙葉類Ｗを分岐通路を通して紙葉類収容部２４０に収容する紙葉類収容処理、および紙葉類収容部２４０に収容された紙葉類Ｗを排出して紙葉類排出口２４２に搬送する紙葉類排出処理を実行することができる。これによって、例えば、紙葉類排出口２４２から紙葉類Ｗが排出された以降の搬送処理において、搬送不良などを生じても、一時的に紙葉類収容部２４０に収容することができる。さらに、紙葉類排出口２４２から紙葉類Ｗが排出された以降の搬送不良が改善された場合には、一時的に紙葉類収容部２４０に収容されていた紙葉類Ｗを、紙葉類排出口２４２からその搬送手段に排出することができる。
【０１５５】
（第３の実施形態の紙葉類処理装置２７０）
第３の実施形態の紙葉類処理装置２７０について、図２７〜図３７を参照して説明する。なお、第２の実施形態の紙葉類処理装置２００の構成部分と同一の構成部分には、同一の符号を付して、重複する説明を簡略または省略する。ここで、第３の実施形態の紙葉類処理装置２７０は、第２の実施形態の紙葉類処理装置２００の本線通路２１５から、直接、紙葉類排出口２４２へ搬送する機能を有しない構成となっている。つまり、全ての紙葉類Ｗは、一旦紙葉類収容部２４０に収容されてから、紙葉類排出口２４２へ搬送される。
【０１５６】
図２７は、紙葉類処理装置２７０の概略的な側面からの断面図である。
【０１５７】
図２７に示すように、紙葉類処理装置２７０は、上記したように、本線通路２１５から、直接、紙葉類排出口２４２へ搬送する機能を有しない構成となっており、紙葉類排出口２４２には、紙葉類収容部２４０のみが連通している。
【０１５８】
次に、紙葉類処理装置２７０の動作について、図２８〜図３７を参照して説明する。
【０１５９】
ここで、図２８〜図３０、図３３および図３５〜図３７は、紙葉類処理装置２７０の各動作工程を示す概略的な側面からの断面図である。また、図３１、図３２および図３４は、図２７に示したＡ−Ａ断面と同断面における各動作工程を示す断面図である。
【０１６０】
紙葉類処理装置２７０では、（Ａ−３）紙葉類Ｗの識別処理、（Ｂ−３）紙葉類Ｗの返却処理、（Ｄ−３）紙葉類Ｗを本線通路２１５の所定位置に搬送し、紙葉類Ｗを紙葉類収容部２４０に収容する紙葉類収容処理、（Ｅ−３）紙葉類収容部２４０に収容された紙葉類Ｗを排出して紙葉類排出口２４２に搬送する紙葉類排出処理の主に４種の処理動作を行う。
【０１６１】
まず、（Ａ−３）紙葉類Ｗの識別処理について説明する。
【０１６２】
紙葉類受入口２４１から挿入された紙葉類Ｗを、紙葉類検知センサ２６０が検知すると、その情報に基づいて、制御部（図示しない）は、駆動モータ（図示しない）を駆動させる。これによって、搬送ベルト２１０が回転（図２８では左周り方向）され、紙葉類Ｗは、識別センサ２６１ａ、２６１ｂを所定範囲にわたって通過するまで送り込まれる（図２８参照）。識別センサ２６１ａ、２６１ｂで検知された信号は、制御部（図示しない）に出力され、制御部は、それに基づいて、予め入力されている紙葉類Ｗのパターンデータとを比較する。そして、制御部は、その比較した結果に基づいて、紙葉類Ｗが本物であるか否かを判定する。なお、この識別処理において、紙葉類Ｗの種別、例えば、紙葉類Ｗが紙幣の場合には、その紙幣の種類などを判定してもよい。
【０１６３】
次に、（Ｂ−３）紙葉類Ｗの返却処理について説明する。
【０１６４】
この紙葉類Ｗの返却処理は、例えば、上記した紙葉類Ｗの識別処理において、紙葉類Ｗが本物でないと判定された場合に実行される処理である。
【０１６５】
紙葉類Ｗの返却処理では、制御部からの情報に基づいて、駆動モータ（図示しない）が逆方向に回転駆動され、搬送ベルト２１０が逆回転（図２９では右周り方向）し、紙葉類受入口２４１から紙葉類Ｗが返却される（図２９参照）。
【０１６６】
次に、（Ｄ−３）紙葉類Ｗを本線通路２１５の所定位置に搬送し、紙葉類Ｗを紙葉類収容部２４０に収容する紙葉類収容処理について説明する。
【０１６７】
この紙葉類Ｗの返却処理は、例えば、上記した紙葉類Ｗの識別処理において、紙葉類Ｗが本物であると判定された場合に実行される処理である。
【０１６８】
紙葉類収容処理では、制御部からの情報に基づいて、駆動モータ（図示しない）を駆動させ、紙葉類Wを本線通路２１５の所定位置まで搬送する（図３０参照）。なお、このときには、各押圧ベルト２１６ａ、２１６ｂ、２１７ａ、２１７ｂ、２１８ａ、２１８ｂ、２１９ａ、２１９ｂは、図３１に示すように、搬送される紙葉類Wを支持した状態である。
【０１６９】
続いて、紙葉類Wを紙葉類収容部２４０に収容するための動作に移る。制御部からの情報に基づいて、駆動装置２３３ａ、２３３ｂを駆動させ、押圧ベルト２１６ａ、２１７ａ、２１８ａ、２１９ａは、上方に移動し、押圧ベルト２１６ｂ、２１７ｂ、２１８ｂ、２１９ｂは、下方に移動する（図３２参照）。この状態では、紙葉類Wは、押圧ベルト２１６ａ、２１６ｂ、２１７ａ、２１７ｂ、２１８ａ、２１８ｂ、２１９ａ、２１９ｂとは接触しておらず、紙葉類Wは、下部から紙葉類搬送支持部材２５０によって支持され、さらに、搬送ベルト２１０または紙葉類収容部２４０に支持される。
【０１７０】
続いて、制御部からの情報に基づいて、駆動モータ２３７ａ、２３７ｂを駆動させて、押圧ベルト２１６ａ、２１６ｂ、２１７ａ、２１７ｂ、２１８ａ、２１８ｂ、２１９ａ、２１９ｂを搬送ベルト２１０側に移動する（図３３参照）。
【０１７１】
続いて、制御部からの情報に基づいて、駆動装置２３３ａ、２３３ｂを駆動させ、押圧ベルト２１６ａ、２１７ａ、２１８ａ、２１９ａは、下方に移動し、押圧ベルト２１６ｂ、２１７ｂ、２１８ｂ、２１９ｂは、上方に移動する（図３４参照）。この状態では、紙葉類Wは、押圧ベルト２１６ａ、２１６ｂ、２１７ａ、２１７ｂ、２１８ａ、２１８ｂ、２１９ａ、２１９ｂと接触している。
【０１７２】
続いて、制御部からの情報に基づいて、駆動モータ２３７ａ、２３７ｂを駆動させて、紙葉類Wを紙葉類収容部２４０側に押しながら、押圧ベルト２１６ａ、２１６ｂ、２１７ａ、２１７ｂ、２１８ａ、２１８ｂ、２１９ａ、２１９ｂを紙葉類収容部２４０側に移動する（図３５参照）。この動作によって、紙葉類Wは、紙葉類収容部２４０に収容される。
【０１７３】
図示しないが、この状態で、上述した接触防止手段を稼動させ、紙葉類収容部２４０に積層された最も押圧ベルト２１６ａ、２１６ｂ、２１７ａ、２１７ｂ、２１８ａ、２１８ｂ、２１９ａ、２１９ｂ側の紙葉類Wと、押圧ベルト２１６ａ、２１６ｂ、２１７ａ、２１７ｂ、２１８ａ、２１８ｂ、２１９ａ、２１９ｂとの間に接触防止部材を配置してもよい。
【０１７４】
続いて、制御部からの情報に基づいて、駆動モータ２３７ａ、２３７ｂを駆動させて、押圧ベルト２１６ａ、２１６ｂ、２１７ａ、２１７ｂ、２１８ａ、２１８ｂ、２１９ａ、２１９ｂを若干搬送ベルト２１０側に移動し、紙葉類Wを紙葉類収容部２４０に収容するための動作に移る前の状態に戻す（図２７参照）。
【０１７５】
次に、（Ｅ−３）紙葉類収容部２４０に収容された紙葉類Ｗを排出して紙葉類排出口２４２に搬送する紙葉類排出処理について説明する。
【０１７６】
まず、制御部からの情報に基づいて、駆動モータ２３７ａ、２３７ｂを駆動させて、押圧ベルト２１６ａ、２１６ｂ、２１７ａ、２１７ｂ、２１８ａ、２１８ｂ、２１９ａ、２１９ｂを紙葉類収容部２４０側に移動し、積層されている紙葉類Wに当接させる（図３６参照）。この際、積層されている紙葉類Wを若干押圧するのが好ましい。
【０１７７】
続いて、制御部からの情報に基づいて、駆動モータ（図示しない）を駆動させて、排出ベルト２５４を回転（図３７では右周り方向）させ、紙葉類Wを紙葉類排出口２４２に導く（図３７参照）。なお、排出される紙葉類Wの後端部を搬送する際、この紙葉類Wと隣接する紙葉類Wに排出ベルト２５４が接触するため、隣接する紙葉類Wを若干紙葉類排出口２４２側に搬送することもある。この場合には、排出すべく紙葉類Wを排出後、排出ベルト２５４を逆に回転させ、隣接する紙葉類Wを元の位置に戻すようにしてもよい。なお、排出すべく紙葉類Wは排出されたことの検知は、紙葉類検知センサ２６２からの検知信号に基づいて判定することができる。
【０１７８】
上記したように、紙葉類処理装置２７０によれば、紙葉類Ｗを本線通路２１５の所定位置に搬送し、紙葉類Ｗを紙葉類収容部２４０に収容する紙葉類収容処理、および紙葉類収容部２４０に収容された紙葉類Ｗを排出して紙葉類排出口２４２に搬送する紙葉類排出処理を実行することができる。これによって、例えば、紙葉類排出口２４２から紙葉類Ｗが排出された以降の搬送処理において、搬送不良などを生じても、搬送不良が改善されるまで、紙葉類Ｗを紙葉類収容部２４０に収容することができる。さらに、紙葉類排出口２４２から紙葉類Ｗが排出された以降の搬送不良が改善された場合には、紙葉類収容部２４０に収容されていた紙葉類Ｗを紙葉類排出口２４２からその搬送手段に排出することができる。また、紙葉類排出口２４２から紙葉類Ｗが排出された以降の搬送処理において、搬送不良などを生じていなくても、紙葉類収容部２４０を介して、紙葉類Ｗを紙葉類排出口２４２から排出することで、例えば、紙葉類収容部２４０に紙葉類Ｗが収容された順に、紙葉類Ｗを排出することができる。
【０１７９】
次に、本発明に係る紙葉類処理装置において紙葉類Ｗを受け入れたときの処理動作について、図３８および図３９を参照して説明する。
【０１８０】
図３８は、紙葉類処理１の動作の流れを示す図、図３９は、紙葉類処理２の動作の流れを示す図である。
【０１８１】
（紙葉類処理１）
紙葉類処理１は、挿入された紙葉類Ｗを紙葉類排出口または紙葉類収容部に搬送する処理である。
【０１８２】
紙葉類Ｗが紙葉類受入口から挿入されると、制御部（図示しない）は、上記した紙葉類Ｗの識別処理（Ａ−１、Ａ−２またはＡ−３）を実行する（ステップＳ３００）。
【０１８３】
ステップＳ３００の判定で、紙葉類Ｗが本物でないと判定した場合（ステップＳ３００のＮＧ）には、上記した紙葉類Ｗの返却処理（Ｂ−１、Ｂ−２またはＢ−３）を実行し、紙葉類受入口から挿入された紙葉類Ｗを返却する（ステップＳ３０１）。
【０１８４】
ここで、紙葉類処理装置が島コンピュータ７、ネットワーク８を介して管理装置１３と通信可能に接続されている場合には、制御部（図示しない）は、管理装置１３に本物でない紙葉類Ｗを受け入れたことの情報を出力し、管理装置１３において履歴情報として管理する（ステップＳ３０２）。
【０１８５】
一方、ステップＳ３００の判定で、紙葉類Ｗが本物であると判定した場合（ステップＳ３００のＯＫ）には、続いて、制御部は、例えば、紙葉類排出口に連通させて設けられた紙葉類搬送手段からの情報に基づいて、紙葉類搬送手段における紙葉類Ｗの搬送が、詰りなどの問題を生じることなく実行されているか否かを判定する（ステップＳ３０３）。
【０１８６】
ステップＳ３０３の判定で、紙葉類Ｗの搬送が順調に実行されていると判定した場合（ステップＳ３０３のＯＫ）には、制御部は、上記した紙葉類Ｗを本線通路を通して紙葉類排出口に搬送する本線通路搬送処理（Ｃ−１またはＣ−２）を実行し、紙葉類Ｗを紙葉類搬送手段に導く（ステップＳ３０４）。なお、第３の実施形態の紙葉類処理装置２７０においては、紙葉類Ｗを本線通路を通して紙葉類排出口に搬送する本線通路搬送処理は実行されないが、紙葉類Ｗを本線通路を搬送する処理は実行される。
【０１８７】
一方、ステップＳ３０３の判定で、紙葉類Ｗの搬送に問題が生じていると判定した場合（ステップＳ３０３のＮＧ）には、制御部は、上記した紙葉類Ｗを分岐通路を通して紙葉類収容部に収容する紙葉類収容処理（Ｄ−１またはＤ−２）を実行し、紙葉類Ｗを紙葉類収容部に収容する（ステップＳ３０５）。ここで、第３の実施形態の紙葉類処理装置２７０においては、制御部は、紙葉類Ｗを本線通路２１５の所定位置に搬送し、紙葉類Ｗを紙葉類収容部２４０に収容する紙葉類収容処理（Ｄ−３）を実行し、紙葉類Ｗを紙葉類収容部に収容する。
【０１８８】
（紙葉類処理２）
紙葉類処理２は、紙葉類収容部に収容された紙葉類Ｗを紙葉類排出口に搬送する処理である。
【０１８９】
まず、制御部（図示しない）は、紙葉類収容部に設けられた紙葉類Ｗの有無を検知する検知センサ（図示しない）からの情報に基づいて、紙葉類収容部に紙葉類Ｗが収容されているか否かを判定する（ステップＳ３１０）。
【０１９０】
ステップＳ３１０の判定で、紙葉類収容部に紙葉類Ｗが収容されていないと判定した場合（ステップＳ３１０のＮｏ）には、リターンしてスタートに戻る。
【０１９１】
一方、ステップＳ３１０の判定で、紙葉類収容部に紙葉類Ｗが収容されていると判定した場合（ステップＳ３１０のＹｅｓ）には、続いて、制御部は、例えば、紙葉類排出口に連通させて設けられた紙葉類搬送手段からの情報に基づいて、紙葉類搬送手段における紙葉類Ｗの搬送が、詰りなどの問題を生じることなく実行されているか否かを判定する（ステップＳ３１１）。
【０１９２】
ステップＳ３１１の判定で、紙葉類Ｗの搬送に問題が生じていると判定した場合（ステップＳ３１１のＮＧ）には、リターンしてスタートに戻る。
【０１９３】
一方、ステップＳ３１１の判定で、紙葉類Ｗの搬送が順調に実行されていると判定した場合（ステップＳ３１１のＯＫ）には、上記した紙葉類収容部に収容された紙葉類Ｗを排出して紙葉類排出口に搬送する紙葉類排出処理（Ｅ−１、Ｅ−２またはＥ−３）を実行し、紙葉類Ｗを紙葉類搬送手段に導く（ステップＳ３１２）。
【０１９４】
（台間機３）
次に、本発明に係る紙葉類処理装置を搭載した台間機３について、図を参照して説明する。
【０１９５】
図４０は、台間機３の正面を示した平面図である。図４１は、台間機３の内部構成を示す概要図である。
【０１９６】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。
【０１９７】
また、台間機３には、カード挿入口３ａ、貸玉ボタン３ｂ（遊技機に貸玉ボタンを有しているので台間機３（ユニット）にはない場合もある。）、再プレー用排出ボタン３ｃ、返却ボタン３ｄ、表示部３ｅ、状態表示ランプ３ｆ、カード回収部３ｇ、リモコン受光部３ｈ、カード種別表示部３ｉ、紙幣挿入口３ｊなどが設けられている。ここで、紙幣挿入口３ｊは、上記した紙葉類処理装置１００、２００における紙葉類受入口１１１、２４１に相当する。
【０１９８】
また、図４１に示すように、台間機３内には、制御部３５０、カード処理機３６０、電源回路３７０、紙葉類処理装置３８０などが設置されている。
【０１９９】
カード処理機３６０は、カード挿入口３ａから挿入された会員用ＩＣカードまたは非会員用ＩＣカードからＩＤなどの情報を読み取るものであり、例えば、リーダライタなどで構成される。また、カード処理機３６０は、カード処理機３６０内に設けられた度数が０となった非会員用カードを貯留するカード貯留部から非会員用カードを取り出し、例えば、ＩＤなどを記録してカード挿入口３ａから再発行することもできる。
【０２００】
また、１枚の会員用ＩＣカードまたは非会員用ＩＣカードがカード挿入口３ａから挿入されると、例えば、ソレノイドなどの機械的手段によって、カード挿入口３ａが封鎖されるので、他の会員用ＩＣカードまたは非会員用ＩＣカードを挿入することはできなくなる。これによって、複数の会員用ＩＣカードまたは非会員用ＩＣカードがカード挿入口３ａに挿入されることで生じるカード詰りなどを防止することができる。また、ソレノイドなどの機械的手段を用いずに、他の方法でカード詰りなどを防止してもよい。
【０２０１】
貸玉ボタン３ｂは、遊技者がパチンコ玉の貸し出しを要求するときに、押されるボタンである。例えば、貸玉ボタン３ｂが１回押されると５００円分のパチンコ玉が貸し出しされる。なお、パチンコ玉の貸し出しは、標準的には５００円単位で行われ、１００円分（２５玉）づつ５回に分けて貸し出される。
【０２０２】
再プレー用排出ボタン３ｃは、再プレー受付機１２において再プレー手続が行われた会員用ＩＣカード使用時にのみ利用され、再プレー用に利用することができるパチンコ玉を排出するときに押される。ここで、再プレーとは、計数機９において計数され貯玉された貯玉数のうち所定の金額（例えば１万円）に相当する玉数を再プレー用貯玉数とし、その再プレー用貯玉数分の遊技媒体の排出によって、遊技をすることをいう。また、再プレー受付機１２とは、会員用ＩＣカードに記憶されたＩＤとともに、管理装置１３の再プレーＦＬＧ、貯玉数および再プレー用貯玉数の情報を書き換えるための要求信号を、ネットワーク８を介して管理装置１３に送信し、再プレーを行える状態にするものである。再プレーＦＬＧは、管理装置１３に書き込まれている情報で、再プレーを可能にしたり、不可能にしたりするものであり、例えば、「１」が書き込まれていれば再プレー可能、「０」が書き込まれていれば再プレー不可能になる。
【０２０３】
返却ボタン３ｄは、カード挿入口３ａから挿入された会員用ＩＣカードまたは非会員用ＩＣカードを排出させるための操作ボタンで、特に、遊技終了時などに押されるものである。
【０２０４】
表示部３ｅは、例えば、実際に利用可能な度数残高などを表示するものである。また、表示部３ｅにおける表示は、複数の表示情報を同時に行ったり、また、交互に行うことなどができる。これによって、度数を確認でき、入金のタイミングを図ることができ、実際に利用可能な度数残高を知ることができる。また、表示部３ｅには、例えば、「１０００円のみ入金可」、「会員」、「再プレー」、「○○万○○○．○」などの度数以外の情報を表示してもよい。
【０２０５】
状態表示ランプ３ｆは、台間機３の状態を視覚的に識別するためのもので、例えば、エラー発生時は赤色点滅、正常動作時には緑色点灯する。電源がＯＦＦ状態とされ、オフライン動作中は消灯される。
【０２０６】
カード回収部３ｇは、カード処理機３６０の非会員用カードを貯留するカード貯留部において、非会員用カードの貯留限度量に達した場合に、非会員用カードを回収するものである。カード回収部３ｇに回収された非会員用カードは、従業員などによって、例えば、営業終了後などに回収される。
【０２０７】
リモコン受光部３ｈは、遊技ホールの従業員が使用するリモコンを受光する部分である。
【０２０８】
カード種別表示部３ｉは、例えば、緑点灯、赤点灯、青点灯の３種類の点灯が可能である。緑点灯では、キャッシュオン、すなわち直接紙幣が使用されカードが挿入されていないことを示し、赤点灯では、非会員用ＩＣカードが使用されていることを示し、青点灯では、会員用ＩＣカードが使用されていることを示す。
【０２０９】
制御部３５０は、台間機３内の各構成機器の制御、台間機３以外の、例えば、島コンピュータ７などとの情報通信を行うものであり、インターフェース回路３５０ａ、ＣＰＵ３５０ｂ、ＲＯＭ３５０ｃ、ＲＡＭ３５０ｄから主に構成される。
【０２１０】
電源回路３７０は、台間機３内の各構成機器を駆動するための電力を各構成機器に供給するものである。
【０２１１】
紙葉類処理装置３８０は、前述した紙葉類処理装置１００、２００である。
【０２１２】
ここで、会員用ＩＣカードおよび非会員用ＩＣカードは、従来から遊技システムで使用されているＩＣチップを有する記憶媒体であり、カード形状などを有している。これらの会員用ＩＣカードや非会員用ＩＣカードは、ＩＣチップと、そのＩＣチップを取り巻くアンテナ部とを有する非接触型の記憶媒体であり、アンテナ部を介してＩＣチップに情報の読み書きをすることができる。なお、会員の遊技者とは、住所、氏名、年齢、性別、好きな台、連絡先、暗証番号などの属性情報が会員の遊技者を互いに識別するＩＤに基づいて管理装置に登録され、会員用ＩＣカードを有する遊技者をいう。また、非会員の遊技者とは、会員登録されていない一般の遊技者をいう。
【０２１３】
会員用ＩＣカードまたは非会員用ＩＣカードを用いた管理システムにおいては、それぞれについて、次に示した管理システムの内のいずれか１つを採用することができる。
【０２１４】
会員用ＩＣカードは、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【０２１５】
ここで、会員用ＩＣカードを用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカードを用いた場合の管理装置１３によって管理される情報は、これらに限るものではなく、遊技管理を行う上で必要な情報であれば管理することができる。
【０２１６】
非会員用ＩＣカードは、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカードには採用されない。
【０２１７】
ここで、非会員用ＩＣカードを用いた場合の情報とは、度数、貸玉、入金、追加入金、貸玉数などの情報、これらの情報を所定の期間に限って管理する情報などをいう。また、非会員用ＩＣカードを用いた場合の管理装置１３によって管理されている情報は、これらに限るものではなく、遊技管理を行う上で必要な情報であれば管理することができる。
【０２１８】
なお、本実施の形態では、会員用ＩＣカードについては、上述した（１）ＩＤだけの記録情報を有し、その他の情報は管理装置１３において管理される場合について説明するが、勿論、上述した他の管理システム（２）も採用することができる。さらに、非会員用ＩＣカードについては、上述した（３）ＩＤだけの記録情報を有し、その他の情報は管理装置１３において管理される場合について説明するが、勿論、上述した他の管理システム（４）、（５）も採用することができる。
【０２１９】
（台間機３の動作）
次に、紙葉類処理装置３８０を備える台間機３の動作について、図４２〜図４５を参照して説明する。なお、他の台間機４、６においても、基本的な動作は同じである。
【０２２０】
図４２は、台間機３の構成部を示す図、図４３〜図４５は、台間機３における動作の流れを示す図である。
【０２２１】
また、ここでは、会員用ＩＣカードまたは非会員用ＩＣカードは、ＩＤだけを有し、その他の情報は管理装置１３において管理されるシステムにおける動作の説明をする。さらに、この説明では、会員用ＩＣカードを利用する場合には、再プレー受付機１２で再プレー受付された後においては、再プレーＦＬＧが「１」、再プレーに利用可能な玉数を再プレー用貯玉数として管理装置１３が有しているシステムであることを前提とする。
【０２２２】
図４２に示すように、台間機３は、制御部４００、カード処理部４０１、選択ボタン検知部４０２、紙葉類処理部４０３から主に構成されている。
【０２２３】
制御部４００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて、各種の演算処理を実行する。この制御部４００では、カード処理部４０１、選択ボタン検知部４０２、紙葉類処理部４０３の各機部間の信号の出入力、および、島コンピュータ７、ネットワーク８を介して管理装置１３との間の信号の出入力を制御している。ここで、島コンピュータ７は、パチンコ機２、スロットマシーン５および台間機３と、ネットワーク８との間の情報の通信を行うもので、データロガなどで構成されている。
【０２２４】
カード処理部４０１は、カード挿入口３ａから挿入された会員用ＩＣカードまたは非会員用ＩＣカードに記録された、例えば、ＩＤやそのＩＤで管理されている有価情報などの読み取り、その読み取った情報の制御部４００への出力、制御部４００からの更新された有価情報などの会員用ＩＣカードまたは非会員用ＩＣカードへの書き込みなどを行うもので、例えば、リーダライタなどを構成要素として備えている。また、カード処理部４０１は、カード挿入口３ａから挿入された非会員用ＩＣカードのカード貯留部への貯留、カード貯留部からの取り出しまたはカード回収部への搬送を行う機能も有している。また、カード貯留部が、貯留できる非会員用ＩＣカードの貯留限界量に達したか否かを判定する機能も有している。また、カード処理部４０１は、非会員用ＩＣカードを発行する場合に、上記したリーダライタなどで非会員用ＩＣカードにＩＤなどを記録する。
【０２２５】
さらに、カード処理部４０１は、搬送ベルトなどによるカード搬送手段（図示しない）を有し、カード挿入口３ａから挿入された会員用ＩＣカードまたは非会員用ＩＣカードを搬送する。さらに、カード処理部４０１は、会員用ＩＣカードまたは非会員用ＩＣカードの搬送が、適切に行われたか否かを検知する各種センサを備える。このセンサとして、例えば、会員用ＩＣカードまたは非会員用ＩＣカードの挿入を検知する挿入検知センサ、会員用ＩＣカードまたは非会員用ＩＣカードが所定の位置にセットされたことを検知する位置セット検知センサ、非会員用ＩＣカードがカード回収部へ移動されたことを検知する落下検知センサなどが挙げられる。
【０２２６】
選択ボタン検知部４０２は、貸玉ボタン３ｂ、再プレー用排出ボタン３ｃ、返却ボタン３ｄが押されたことを検知し、その押された信号に基づいて、制御部４００に信号を出力するものである。
【０２２７】
紙葉類処理部４０３は、紙葉類処理装置１００、２００で構成され、上述したように、４種類の紙幣の識別処理、紙幣の返却処理、紙幣を本線通路を通して紙葉類排出口に搬送する本線通路搬送処理、紙幣を分岐通路を通して紙葉類収容部に収容する紙葉類収容処理、紙葉類収容部に収容された紙幣を排出して紙葉類排出口に搬送する紙葉類排出処理などを行う。
【０２２８】
そして、制御部４００によって制御される、カード処理部４０１、選択ボタン検知部４０２、紙葉類処理部４０３の各機器部は、次のように動作する（図４３〜図４５）。
【０２２９】
以下に、図４３〜図４５を参照して、その動作を説明する。
【０２３０】
カード処理部４０１は、カード挿入口３ａからの会員用ＩＣカードまたは非会員用ＩＣカードの挿入を待機しており、会員用ＩＣカードまたは非会員用ＩＣカードの挿入を検知すると、それに応じた処理を実行する。また、紙葉類処理部４０３は、紙幣挿入口３ｊからの紙幣の挿入を待機しており、紙幣の挿入を検知すると、それに応じた処理を実行する。
【０２３１】
まず、制御部４００は、紙葉類処理部４０３に、上述した紙葉類収容部に収容された紙葉類Ｗを紙葉類排出口に搬送する処理である紙葉類処理２（図３９参照）を実行させる（ステップＳ４１０）。
【０２３２】
続いて、制御部４００は、紙葉類処理部４０３からの情報に基づいて、紙幣の受け入れがされたか否かを判定する（ステップＳ４１１）。
【０２３３】
ステップＳ４１１の判定で、紙幣の受け入れがされたと判定した場合（ステップＳ４１１のＹｅｓ）には、紙葉類処理部４０３は、その情報を制御部４００に出力し、制御部４００は、紙幣挿入口３ｊの近傍に設けられた入金可ランプ（図示しない）を消灯させ、それ以上の入金を禁止することを遊技者に示す（ステップＳ４１２）。
【０２３４】
続いて、制御部４００は、例えば、カード挿入防止手段（図示しない）を作動させ、カード挿入口３ａから会員用ＩＣカードまたは非会員用ＩＣカードが挿入されるのを防止する（ステップＳ４１３）。
【０２３５】
続いて、制御部４００は、入金処理である紙葉類処理が完了したか否かを紙葉類処理部４０３からの信号に基づいて判定する（ステップＳ４１４）。
【０２３６】
ステップＳ４１４の判定で、紙葉類処理が完了していないと判定した場合（ステップＳ４１４のＮｏ）には、制御部４００は、紙葉類処理部４０３に、上述した挿入された紙葉類Ｗを紙葉類排出口または紙葉類収容部に搬送する処理である紙葉類処理１（図３８参照）を実行させる（ステップＳ４１５）。
【０２３７】
一方、ステップＳ４１４の判定で、紙葉類処理が完了したと判定した場合（ステップＳ４１４のＹｅｓ）には、紙葉類処理部４０３は、紙幣の入金額に対応する情報を制御部４００に出力する。また、カード処理部４０１は、常に会員用ＩＣカードまたは非会員用ＩＣカードが挿入されたか否かを判定している。そして、カード処理部４０１によって、会員用ＩＣカードまたは非会員用ＩＣカードがカード処理部４０１に挿入されていることが判定された場合、カード処理部４０１で会員用ＩＣカードまたは非会員用ＩＣカードのＩＤが読み取られ、制御部４００に出力される。制御部４００は、紙葉類処理部４０３からの紙幣の入金額に対応する度数とカード処理部４０１からのＩＤの情報を島コンピュータ７、ネットワーク８を介して管理装置１３に送信する（ステップＳ４１６）。管理装置１３に送信された情報は、管理装置１３に記録される（ステップＳ４１６）。ここで挿入された会員用ＩＣカードまたは非会員用ＩＣカードが読み取りまたは書き込みが不可能な場合は、カード処理部４０１は、会員用ＩＣカードまたは非会員用ＩＣカードを返却する。
【０２３８】
一方、カード処理部４０１によって、会員用ＩＣカードまたは非会員用ＩＣカードがカード処理部４０１に挿入されていないと判定された場合、カード処理部４０１は、非会員用ＩＣカードをカード貯留部から取り出す。そして、カード処理部４０１は、取り出された非会員用ＩＣカードにＩＤを付与し、制御部４００は、そのＩＤを管理装置１３に出力する（ステップＳ４１７）。
【０２３９】
続いて、制御部４００は、表示部３ｅに、入金額に対応する度数、使用可能度数などを表示するための表示情報を出力する。表示部３ｅは、その表示情報に基づいて入金額に対応する度数、使用可能度数などを、例えば、ＬＥＤなどを発光させて表示する（ステップＳ４１８）。なお、紙葉類処理の完了は、非会員用ＩＣカードのＩＤに基づいて、度数などが制御部４００に適正に記録されたか確認（ベリファイ）することでなされ、それが確認できるまで制御部４００は待機状態となる。
【０２４０】
続いて、制御部４００の入金履歴がクリアされる（ステップＳ４１９）。
【０２４１】
さらに、制御部４００は、紙幣挿入口３ｊの近傍に設けられた入金可ランプ（図示しない）を点灯させ、入金が可能であることを遊技者に示す（ステップＳ４２０）。
【０２４２】
続いて、制御部４００は、例えば、カード挿入防止手段を作動させ、カード挿入口３ａから会員用ＩＣカードまたは非会員用ＩＣカードを挿入可能にする（ステップＳ４２１）。そして、リターンし、スタートに戻る。
【０２４３】
ステップＳ４１１の判定で、紙葉類処理部４０３が紙幣を受け入れていないと判定した場合（ステップＳ４１１のＮｏ）には、紙葉類処理部４０３は、その情報を制御部４００に出力する。続いて、制御部４００は、カード処理部４０１からの情報に基づいて、会員用ＩＣカードまたは非会員用ＩＣカードが挿入されているか否かを判定する（ステップＳ４２２）。
【０２４４】
ステップＳ４２２の判定で、会員用ＩＣカードまたは非会員用ＩＣカードが挿入されていないと判定した場合（ステップＳ４２２のＮｏ）には、制御部４００は、貯留用の非会員用ＩＣカードの補充要求に関する情報を管理装置１３に出力し、管理装置１３は、その情報を受信すると、例えば、場内放送などによって、その台番号と補充指示を従業員に通知する（ステップＳ４２３）。
【０２４５】
続いて、制御部４００は、紙幣挿入口３ｊの近傍に設けられた入金可ランプ（図示しない）を点灯させ、入金が可能であることを遊技者に示す（ステップＳ４２４）。
【０２４６】
続いて、制御部４００は、例えば、カード挿入防止手段を作動させ、カード挿入口３ａから会員用ＩＣカードまたは非会員用ＩＣカードを挿入可能にする（ステップＳ４２５）。そして、リターンし、スタートに戻る。
【０２４７】
一方、ステップＳ４２２の判定で、会員用ＩＣカードまたは非会員用ＩＣカードが挿入されていると判定した場合（ステップＳ４２２のＹｅｓ）には、制御部４００は、その情報に基づいて、挿入された会員用ＩＣカードまたは非会員用ＩＣカードをリーダライタ部に移動させるための情報をカード処理部４０１に出力する。そして、カード処理部４０１のカード搬送手段が駆動され、挿入された会員用ＩＣカードまたは非会員用ＩＣカードは、リーダライタ部と通信可能な所定の位置に移動される（ステップＳ４２６）。
【０２４８】
続いて、制御部４００は、例えば、カード挿入防止手段を作動させ、カード挿入口３ａから会員用ＩＣカードまたは非会員用ＩＣカードが挿入されるのを防止する（ステップＳ４２７）。
【０２４９】
続いて、制御部４００は、カード処理部４０１からの情報に基づいて、会員用ＩＣカードまたは非会員用ＩＣカードの情報の読み取りおよび／または書き込みが可能か否かを判定する（ステップＳ４２８）。
【０２５０】
ステップＳ４２８の判定で、会員用ＩＣカードまたは非会員用ＩＣカードの情報の読み取りおよび／または書き込みが可能でないと判定した場合（ステップＳ４２８のＮｏ）には、制御部４００は、情報の読み取りまたは書き込みが不可能な不良のカードを返却させる情報をカード処理部４０１に出力する。そして、カード処理部４０１は、カード搬送手段を駆動し、不良のカードをカード挿入口３ａから返却する（ステップＳ４２９）。
【０２５１】
続いて、制御部４００は、表示部３ｅに、挿入されたカードが読み取りおよび／または書き込みができない不良カードであることを表示するための表示情報を表示部３ｅに出力し、表示部３ｅに、例えば、「エラーコード○○○」、「不良カード」、「読み取りおよび／または書き込み不可能」などの表示をする（ステップＳ４３０）。
【０２５２】
また、制御部４００は、島コンピュータ７、ネットワーク８を介して管理装置１３に、これらのエラー情報を出力する。さらに、制御部４００は、状態表示ランプ３ｆにエラー発生中を示す赤点滅表示させる（ステップＳ４３１）。また、ブザー、場内放送などでエラーが発生したことを報知してもよい。
【０２５３】
さらに、制御部４００は、紙幣挿入口３ｊの近傍に設けられた入金可ランプ（図示しない）を消灯させ、それ以上の入金を禁止することを遊技者に示す（ステップＳ４３２）。
【０２５４】
続いて、制御部４００は、例えば、カード挿入防止手段を作動させ、カード挿入口３ａから会員用ＩＣカードまたは非会員用ＩＣカードが挿入されるのを防止する（ステップＳ４３３）。
【０２５５】
続いて、制御部４００は、カード処理部４０１からの情報に基づいて、情報の読み取りおよび／または書き込みが不能であるためカード搬送不良の原因となるカードが取り除かれるなど、エラーが解除されたか否かを判定する（ステップＳ４３４）。
【０２５６】
ステップＳ４３４の判定で、エラーが解除されていないと判定した場合（ステップＳ４３４のＮｏ）には、再びステップＳ４３４の処理を実行する。
【０２５７】
一方、ステップＳ４３４の判定で、エラーが解除されたと判定した場合（ステップＳ４３４のＹｅｓ）には、エラー履歴がクリアされ（ステップＳ４３５）、ステップＳ４２０の処理を実行する。
【０２５８】
ステップＳ４２８の判定で、会員用ＩＣカードまたは非会員用ＩＣカードの情報の読み取りおよび／または書き込みが可能であると判定した場合（ステップＳ４２８のＹｅｓ）には、続いて、制御部４００は、カード処理部４０１からの情報に基づいて、搬送不良などのその他の不良がないか否かを判定する（ステップＳ４３６）。
【０２５９】
ステップＳ４３６の判定で、その他の不良があると判定した場合（ステップＳ４３６のＹｅｓ）には、上記したステップＳ４２９からの処理を実行する。
【０２６０】
一方、ステップＳ４３６の判定で、その他の不良がないと判定した場合（ステップＳ４３６のＮｏ）には、制御部４００は、状態表示ランプ３ｆに正常動作中を示す緑色点灯表示させる（ステップＳ４３７）。
【０２６１】
さらに、制御部４００は、紙幣挿入口３ｊの近傍に設けられた入金可ランプ（図示しない）を点灯させ、入金可能であることを遊技者に示す（ステップＳ４３８）。続いて、図４４に示す「１」からの処理を実行する。
【０２６２】
次に、図４４を参照して、「１」からの処理について説明する。
【０２６３】
制御部４００は、選択ボタン検知部４０２からの情報に基づいて、貸玉ボタン３ｂが押されたか否かを判定する（ステップＳ４５０）。
【０２６４】
ステップＳ４５０の判定で、貸玉ボタン３ｂが押されたと判定した場合（ステップＳ４５０のＹｅｓ）には、使用可能度数を表示するための情報を表示部３ｅに出力する。表示部３ｅでは、その情報に基づいて、貸玉して消費した度数を差し引いた残りの使用可能度数を表示する（ステップＳ４５１）。
【０２６５】
続いて、制御部４００は、会員用ＩＣカードまたは非会員用ＩＣカードのＩＤと、減算された度数残高を管理装置１３へ送信する。管理装置１３は、これらの情報をＩＤ毎に書き込む（ステップＳ４５２）。
【０２６６】
さらに、会員用ＩＣカードが利用されている場合には、管理装置１３では、貸玉要求信号に相当する度数に応じて付与されるポイントをＩＤに基づいて加算する（ステップＳ４５３）。
【０２６７】
ステップＳ４５０の判定で、貸玉ボタン３ｂが押されていないと判定した場合（ステップＳ４５０のＮｏ）には、続いて、制御部４００は、選択ボタン検知部４０２からの情報に基づいて、再プレー用貸玉ボタン３ｃが押されたか否かを判定する（ステップＳ４５４）。
【０２６８】
ステップＳ４５４の判定で、再プレー用貸玉ボタン３ｃが押されたと判定した場合（ステップＳ４５４のＹｅｓ）には、制御部４００は、再プレー用貸玉要求信号をＩＤに基づいて、管理装置１３に出力する。管理装置１３は、ＩＤに基づいて管理されている再プレーＦＬＧの値を制御部４００に出力する。続いて、制御部４００では、管理装置１３からの再プレーＦＬＧの値を判定する（ステップＳ４５５）。ここで、再プレー受付機１２で受付されたときには、管理装置１３内の記録値である再プレーＦＬＧが「１」となり、受付されていないときには、再プレーＦＬＧが「０」となっている。
【０２６９】
ステップＳ４５５の判定で、再プレーＦＬＧが「１」であると判定した場合（ステップＳ４５５の「１」）には、制御部４００は、再プレー可能貯玉数に対応する度数を表示するための情報を表示部３ｅに出力する。表示部３ｅでは、その情報に基づいて再プレー可能貯玉数に対応する度数を表示する（ステップＳ４５６）。
【０２７０】
また、制御部４００は、再プレー用貸玉要求信号をパチンコ機２の制御部に出力する（ステップＳ４５７）。パチンコ機２の制御部は、パチンコ機２から所定数のパチンコ玉の貸し出しを行わせる（ステップＳ４５７）。また、制御部４００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ４５７）。
【０２７１】
ステップＳ４５５の判定で、再プレーＦＬＧが「０」であると判定した場合（ステップＳ４５５の「０」）には、パチンコ玉の貸し出しは行われず、図４５の「２」からの処理を実行する。このときには、例えば、制御部４００は、表示部３ｅに「再プレーできません。」などの表示をさせることもできる。
【０２７２】
ステップＳ４５４の判定で、再プレー用貸玉ボタン３ｃが押されていないと判定した場合（ステップＳ４５４のＮｏ）、ステップＳ４５３またはステップＳ４５７の処理後、制御部４００は、管理装置１３から再プレー用貯玉数の情報を受信し、その情報に基づいて再プレー用貯玉数が「０」か否かを判定する（ステップＳ４５８）。
【０２７３】
ステップＳ４５８の判定で、再プレー用貯玉数が「０」であると判定した場合（ステップＳ４５８のＹｅｓ）には、制御部４００は、再プレーＦＬＧの数値を「０」に書き換える情報を管理装置１３に出力する（ステップＳ４５９）。そして、管理装置１３では、ＩＤに基づいて再プレーＦＬＧの数値を「０」に書き換える（ステップＳ４５９）。そして、図４５の「２」からの処理を実行する。
【０２７４】
一方、ステップＳ４５８の判定で、再プレー用貯玉数が「０」でないと判定した場合（ステップＳ４５８のＮｏ）には、図４５の「２」からの処理を実行する。
【０２７５】
次に、図４５を参照して、「２」からの処理について説明する。
【０２７６】
制御部４００は、選択ボタン検知部４０２からの情報に基づいて、返却ボタン３ｄが押されたか否かを判定する（ステップＳ４７０）。
【０２７７】
ステップＳ４７０の判定で、返却ボタン３ｄが押されたと判定した場合（ステップＳ４７０のＹｅｓ）には、続いて、制御部４００は、カード処理部４０１からの情報に基づいて、非会員用ＩＣカードがあるか否かを判定する（ステップＳ４７１）。
【０２７８】
ステップＳ４７１の判定で、非会員用ＩＣカードがないと判定した場合（ステップＳ４７１のＮｏ）には、制御部４００は、カード処理部４０１に、カード挿入口３ａより会員用ＩＣカードを返却する情報を出力する。カード処理部４０１は、その情報に基づいて会員用ＩＣカードを返却し（ステップＳ４７２）、リターンしてスタートに戻る。
【０２７９】
一方、ステップＳ４７１の判定で、非会員用ＩＣカードがあると判定した場合（ステップＳ４７１のＹｅｓ）には、続いて、制御部４００は、カード処理部４０１からの情報に基づいて、非会員用ＩＣカードに度数残高があるか否かを判定する（ステップＳ４７３）。
【０２８０】
ステップＳ４７３の判定において、非会員用ＩＣカードに度数残高があると判定した場合（ステップＳ４７３のＹｅｓ）には、制御部４００は、カード処理部４０１に、カード挿入口３ａより非会員用ＩＣカードを返却する情報を出力する。そして、カード処理部４０１は、その情報に基づいて非会員用ＩＣカードを返却する（ステップＳ４７４）。
【０２８１】
続いて、制御部４００は、例えば、カード挿入防止手段を作動させ、カード挿入口３ａから会員用ＩＣカードまたは非会員用ＩＣカードが挿入できるようにする（ステップＳ４７５）。
【０２８２】
また、制御部４００は、返却ボタンのＯＮ履歴をクリアする（ステップＳ４７６）。
【０２８３】
ステップＳ４７３の判定において、非会員用ＩＣカードに度数残高がないと判定した場合（ステップＳ４７３のＮｏ）には、続いて、制御部４００は、カード処理部４０１からの情報に基づいて、カード貯留部における貯留量が限界か否かを判定する（ステップＳ４７７）。
【０２８４】
ステップＳ４７７の判定で、カード貯留部における貯留量が限界であると判定した場合（ステップＳ４７７のＹｅｓ）には、制御部４００は、非会員用ＩＣカードのカード排出部への誘導動作を行わせる情報をカード処理部４０１に出力する。そして、カード処理部４０１は、非会員用ＩＣカードをカード回収部３ｇへ搬送する（ステップＳ４７８）。そして、ステップＳ４７５の処理を実行する。
【０２８５】
一方、ステップＳ４７７の判定で、カード貯留部における貯留量が限界でないと判定した場合（ステップＳ４７７のＮｏ）には、制御部４００は、非会員用ＩＣカードのカード貯留部への貯留動作を行わせる情報をカード処理部４０１に出力する。そして、カード処理部４０１は、非会員用ＩＣカードをカード貯留部に貯留する（ステップＳ４７９）。そして、ステップＳ４７５の処理を実行する。
【０２８６】
ステップＳ４７０の判定で、返却ボタン３ｄが押されていないと判定した場合（ステップＳ４７０のＮｏ）には、続いて、制御部４００は、カード処理部４０１からの情報に基づいて、会員用ＩＣカードが挿入されているか否かを判定する（ステップＳ４８０）。
【０２８７】
ステップＳ４８０の判定で、会員用ＩＣカードが挿入されていると判定した場合（ステップＳ４８０のＹｅｓ）には、制御部４００は、状態表示ランプ３ｆに青色を点灯させ（ステップＳ４８１）、ソレノイドでカード挿入口３ａを封鎖させる（ステップＳ４８２）。そして、リターンしてスタートに戻る。
【０２８８】
一方、ステップＳ４８０の判定で、会員用ＩＣカードが挿入されていないと判定した場合（ステップＳ４８０のＮｏ）には、続いて、制御部４００は、カード処理部４０１からの情報に基づいて、非会員用ＩＣカードが挿入されているか否かを判定する（ステップＳ４８３）。
【０２８９】
ステップＳ４８３の判定で、非会員用ＩＣカードが挿入されていると判定した場合（ステップＳ４８３のＹｅｓ）には、制御部４００は、状態表示ランプ３ｆに赤色を点灯させ（ステップＳ４８４）、ソレノイドでカード挿入口３ａを封鎖させる（ステップＳ４８２）。そして、リターンしてスタートに戻る。
【０２９０】
一方、ステップＳ４８３の判定で、非会員用ＩＣカードが挿入されていないと判定した場合（ステップＳ４８３のＮｏ）には、リターンしてスタートに戻る。
【０２９１】
（管理装置１３）
図４６は、管理装置１３の構成部を示す図、図４７は、管理装置１３における動作の流れを示す図である。
【０２９２】
図１に示されているように、管理装置１３は、複数のパチンコ機２、複数のパチンコ機２のそれぞれに接続された台間機３、４、複数のスロットマシーン５、スロットマシーン５のそれぞれに接続された台間機６と島コンピュータ７およびネットワーク８を介して接続されている。また、管理装置１３は、計数機９、精算機１０、景品管理機（ＰＯＳ）１１、再プレー受付機１２、発行機２０、データ表示機２１、データ公開機２２などともネットワーク８を介して接続されている。さらに、例えば、紙葉類処理装置１００、２００が単独で設置された場合には、管理装置１３は、その紙葉類処理装置１００、２００ともネットワーク８を介して接続される。
【０２９３】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０２９４】
管理装置１３は、紙葉類処理装置１００、２００、台間機３、４、６、計数機９、精算機１０、景品管理機（ＰＯＳ）１１、再プレー受付機１２、発行機２０、データ表示機２１、データ公開機２２などの機器からの情報を管理するものである。
【０２９５】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０２９６】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０２９７】
図４６に示すように、管理装置１３は、制御部５００、会員カード情報管理部５０１、非会員カード情報管理部５０２、出力処理部５０３から主に構成されている。
【０２９８】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、会員カード情報管理部５０１、非会員カード情報管理部５０２、出力処理部５０３の各機部間の信号の出入力、および、ネットワーク８を介して各機器との間の信号の出入力を制御している。また、制御部５００は、管理装置１３とネットワーク８を介して各機器の制御部と通信できるように接続されている。
【０２９９】
なお、ここで管理装置１３は、役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０３００】
会員カード情報管理部５０１は、各機器に会員用ＩＣカードが用いられたときの情報を管理するものである。また、会員カード情報管理部５０１において管理している各種情報は、管理装置１３に接続された、例えば、パーソナルコンピュータ１７などで見ることができる。
【０３０１】
会員用ＩＣカードが用いられた場合には、会員用ＩＣカードのＩＤに基づき、例えば、貯玉数、度数残高、再プレー用貯玉数、ポイント、台間機または発行機に挿入した金額、精算金額などを管理している。これらのデータは、会員用ＩＣカードのＩＤ毎に管理され、さらに、履歴情報、日毎情報、週毎情報などとしても管理される。
【０３０２】
なお、会員用ＩＣカードを用いた会員の遊技者用の管理項目は、上記した管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０３０３】
非会員カード情報管理部５０２は、各機器に非会員用ＩＣカードが用いられたときの情報を管理するものである。また、非会員カード情報管理部５０２において管理している各種情報は、管理装置１３に接続された、例えば、パーソナルコンピュータ１７などで見ることができる。
【０３０４】
非会員用ＩＣカードが用いられた場合には、非会員用ＩＣカードのＩＤに基づき、例えば、度数残高、台間機または発行機に挿入した金額、精算金額、度数有効期間などを管理している。これらのデータは、非会員用ＩＣカードのＩＤ毎に管理される。非会員用ＩＣカードを用いる場合には、度数残高を保持できる期間が、例えば、１日などのように限られているので、度数有効期間を管理している。この期間を超えた場合には、例えば、精算機１０で度数残高を精算し、現金化することなどが不可能となる。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０３０５】
出力処理部５０３は、カードセンタ１６に送信する、例えば、一日の営業結果などの情報を、会員カード情報管理部５０１および非会員カード情報管理部５０２に管理されているデータに基づいて管理している。例えば、パーソナルコンピュータ１７などから終業処理の信号が管理装置１３に入力されると、カードセンタ１６に送信する情報を制御部５００を介してプロトコルコンバータ１４に出力する。プロトコルコンバータ１４に出力された情報は、モデム１５を介してカードセンタ１６に送信される。
【０３０６】
そして、制御部５００によって制御される、会員カード情報管理部５０１、非会員カード情報管理部５０２、出力処理部５０３の各機器部は、次のように動作する（図４７）。なお、ここでは、管理装置１３に入力された情報の管理動作について主に説明する。
【０３０７】
以下に、図４７を参照してその動作を説明する。
【０３０８】
管理装置１３の制御部５００に、発行機２０、再プレー受付機１２、台間機３、４、６、計数機９、景品管理機（ＰＯＳ）１１、精算機１０などからの情報が入力される（ステップＳ５１０）。
【０３０９】
制御部５００は、ステップＳ５１０で入力された情報に基づいて、会員用ＩＣカードのを用いた場合の情報か否かを判定する（ステップＳ５１１）。
【０３１０】
ステップＳ５１１の判定で、会員用ＩＣカードのを用いた場合の情報であると判定した場合（ステップＳ５１１のＹｅｓ）には、入力された情報は、会員カード情報管理部５０１に出力される（ステップＳ５１２）。会員カード情報管理部５０１では、その入力された情報に基づいて、ＩＤおよび項目毎に入力情報が管理される（ステップＳ５１２）。
【０３１１】
ステップＳ５１１の判定で、会員用ＩＣカードのを用いた場合の情報でないと判定した場合（ステップＳ５１１のＮｏ）には、入力された情報は、非会員カード情報管理部５０２に出力される（ステップＳ５１３）。非会員カード情報管理部５０２では、その入力された情報に基づいて、ＩＤおよび項目毎に入力情報を管理する（ステップＳ５１３）。
【０３１２】
続いて、制御部５００は、出力処理部５０３からの情報に基づいて、パーソナルコンピュータ１７などから終業処理信号が入力されたか否かを判定する（ステップＳ５１４）。
【０３１３】
ステップＳ５１４の判定で、終業処理信号が入力されていないと判定した場合（ステップＳ５１４のＮｏ）には、リターンしてスタートに戻る。
【０３１４】
一方、ステップＳ５１４の判定で、終業処理信号が入力されたと判定した場合（ステップＳ５１４のＹｅｓ）には、出力処理部５０３から、例えば、会員カード情報管理部５０１および非会員カード情報管理部５０２で管理されているデータに基づいて集計された一日の営業結果などの情報が、制御部５００、プロトコルコンバータ１４およびモデム１５を介してカードセンタ１６に送信される（ステップＳ５１５）。
【０３１５】
続いて、制御部５００は、出力処理部５０３からの情報に基づいて、パーソナルコンピュータ１７などからデータ送信要求信号が入力されたか否かを判定する（ステップＳ５１６）。
【０３１６】
ステップＳ５１６の判定で、データ送信要求信号が入力されていないと判定した場合（ステップＳ５１６のＮｏ）には、リターンしてスタートに戻る。
【０３１７】
一方、ステップＳ５１６の判定で、データ送信要求信号が入力されたと判定した場合（ステップＳ５１６のＹｅｓ）には、会員カード情報管理部５０１および非会員カード情報管理部５０２に管理されているデータに基づいて、要求された情報をパーソナルコンピュータ１７などに出力する（ステップＳ５１７）。そして、会員カード情報管理部５０１および非会員カード情報管理部５０２に管理されているデータに基づいて、出力されたデータは、パーソナルコンピュータ１７の画面に表示される。
【０３１８】
また、管理装置１３では、例えば、非会員用ＩＣカードにおける度数残高の有効期限の切れた情報をＩＤ毎に判定し、有効期限が切れた度数残高の情報を有する場合には、その情報を削除する（ステップＳ５１８）。
【０３１９】
続いて、管理装置１３は、始業処理を実行する（ステップＳ５１９）。ここで、始業処理は、パワーＯＮにて割り込み処理にて別途実施する。始業処理とは、上記した各機器との通信がネットワークを介して可能か否かどうか、および各機器の自己診断機能により、各機器における故障の有無を確認することである。この確認において、各機器との通信ができない場合や各機器で故障があると判断された場合には、それに伴う情報が店員に報知される。
【０３２０】
上記した本発明に係る紙葉類処理装置、紙葉類処理方法、紙葉類処理機能付き台間機および紙葉類処理システムによれば、紙葉類を本線通路を通して紙葉類排出口に搬送する本線通路搬送処理、紙葉類を分岐通路を通して紙葉類収容部に収容する紙葉類収容処理、および紙葉類収容部に収容された紙葉類を排出して紙葉類排出口に搬送する紙葉類排出処理を実行することができる。これによって、例えば、紙葉類排出口から紙葉類が排出された以降の搬送処理において、搬送不良などを生じても、一時的に紙葉類収容部に収容することができる。さらに、紙葉類排出口から紙葉類が排出された以降の搬送不良が改善された場合には、一時的に紙葉類収容部に収容されていた紙葉類を、紙葉類排出口からその搬送手段に排出することができる。
【０３２１】
また、分岐ガイドを本線通路側に回転させ、分岐ガイドと送り突起部との間に挟まれた紙葉類の後端部を解放し、すでに収容されている紙葉類Ｗ上にすべての紙葉類Ｗを積層することができる。これによって、紙葉類Ｗの後端部を分岐ガイドと送り突起部との間に挟まれなくなるまで、送り込む必要がなく、紙葉類収容部の長手方向（紙葉類収容部に紙葉類を搬送する方向）のサイズを小さくすることができ、紙葉類処理装置のコンパクト化を図ることができる。また、この紙葉類処理装置を搭載した台間機では、奥行き方向のコンパクト化を図ることが可能となる。
【０３２２】
また、紙葉類処理システムによれば、紙葉類処理装置や紙葉類処理装置を備える台間機における種々のデータなどを管理装置に記憶させ、必要に応じて情報を管理装置から取り出すことなどが可能となる。
【０３２３】
なお、本発明に係る紙葉類処理装置、紙葉類処理方法、紙葉類処理機能付き台間機および紙葉類処理システムは、上記した実施の形態に何ら限定されるものではなく、構成、システムの制御などは本発明の技術的思想の範囲で拡張、変更することができる。
【図面の簡単な説明】
【０３２４】
【図１】本発明の一実施の形態の紙葉類処理システムの概要図。
【図２】第１の実施形態の紙葉類処理装置の外観を示す斜視図。
【図３】第１の実施形態の紙葉類処理装置の概略的な側面からの断面図。
【図４】図３のＡ−Ａ断面図。
【図５】第１の実施形態の紙葉類処理装置の各動作工程を示す概略的な側面からの断面図。
【図６】第１の実施形態の紙葉類処理装置の各動作工程を示す概略的な側面からの断面図。
【図７】第１の実施形態の紙葉類処理装置の各動作工程を示す概略的な側面からの断面図。
【図８】第１の実施形態の紙葉類処理装置の各動作工程を示す概略的な側面からの断面図。
【図９】第１の実施形態の紙葉類処理装置の各動作工程を示す概略的な側面からの断面図。
【図１０】第１の実施形態の紙葉類処理装置の各動作工程を示す概略的な側面からの断面図。
【図１１】第１の実施形態の紙葉類処理装置の各動作工程を示す概略的な側面からの断面図。
【図１２】第１の実施形態の紙葉類処理装置の各動作工程を示す概略的な側面からの断面図。
【図１３】第２の実施形態の紙葉類処理装置の概略的な側面からの断面図。
【図１４】図１３のＡ−Ａ断面図。
【図１５】第２の実施形態の紙葉類処理装置の筐体内の一部を上方からみたときの概略図。
【図１６】第２の実施形態の紙葉類処理装置の各動作工程を示す概略的な側面からの断面図。
【図１７】第２の実施形態の紙葉類処理装置の各動作工程を示す概略的な側面からの断面図。
【図１８】第２の実施形態の紙葉類処理装置の各動作工程を示す概略的な側面からの断面図。
【図１９】第２の実施形態の紙葉類処理装置の各動作工程を示す概略的な側面からの断面図。
【図２０】図１３に示したＡ−Ａ断面と同断面における各動作工程を示す断面図。
【図２１】図１３に示したＡ−Ａ断面と同断面における各動作工程を示す断面図。
【図２２】第２の実施形態の紙葉類処理装置の各動作工程を示す概略的な側面からの断面図。
【図２３】図１３に示したＡ−Ａ断面と同断面における各動作工程を示す断面図。
【図２４】第２の実施形態の紙葉類処理装置の各動作工程を示す概略的な側面からの断面図。
【図２５】第２の実施形態の紙葉類処理装置の各動作工程を示す概略的な側面からの断面図。
【図２６】第２の実施形態の紙葉類処理装置の各動作工程を示す概略的な側面からの断面図。
【図２７】第３の実施形態の紙葉類処理装置の概略的な側面からの断面図。
【図２８】第３の実施形態の紙葉類処理装置の筐体内の一部を上方からみたときの概略図。
【図２９】第３の実施形態の紙葉類処理装置の各動作工程を示す概略的な側面からの断面図。
【図３０】第３の実施形態の紙葉類処理装置の各動作工程を示す概略的な側面からの断面図。
【図３１】図２７に示したＡ−Ａ断面と同断面における各動作工程を示す断面図。
【図３２】図２７に示したＡ−Ａ断面と同断面における各動作工程を示す断面図。
【図３３】第３の実施形態の紙葉類処理装置の各動作工程を示す概略的な側面からの断面図。
【図３４】図２７に示したＡ−Ａ断面と同断面における各動作工程を示す断面図。
【図３５】第３の実施形態の紙葉類処理装置の各動作工程を示す概略的な側面からの断面図。
【図３６】第３の実施形態の紙葉類処理装置の各動作工程を示す概略的な側面からの断面図。
【図３７】第３の実施形態の紙葉類処理装置の各動作工程を示す概略的な側面からの断面図。
【図３８】紙葉類処理１の動作の流れを示す図。
【図３９】紙葉類処理２の動作の流れを示す図。
【図４０】台間機の正面を示した平面図。
【図４１】台間機の内部構成を示す概要図。
【図４２】台間機の構成部を示す図。
【図４３】台間機における動作の流れを示す図。
【図４４】台間機における動作の流れを示す図。
【図４５】台間機における動作の流れを示す図。
【図４６】管理装置の構成部を示す図。
【図４７】管理装置における動作の流れを示す図。
【符号の説明】
【０３２５】
１…紙葉類処理システム、２…パチンコ機、３、４、６…台間機、５…スロットマシーン、７…島コンピュータ、８…ネットワーク、９…計数機、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、１９…貯留機構付き紙幣識別装置、２０…発行機、２１…データ表示機、２２…データ公開機、１００…紙葉類処理装置、１１０…搬送ベルト、１１１…紙葉類受入口、１１２、１１３、１１４、１１５、１１６、１１７、１１８…プーリ、１１９、１２０、１２１…押圧ローラ、１２２…回転軸、１２３ａ、１２３ｂ、１２３ｃ…スペーサ、１２４…紙葉類送り部材、１２５ａ、１２５ｂ…送り突起部、１３０…分岐ガイド、１３７…導入板、１４０…紙葉類排出口、１４１…本線通路、１４２…紙葉類収容部、１４３…分岐通路、１４４…壁面、１６０…紙葉類検知センサ、１６１ａ、１６１ｂ…識別センサ、１７０…押圧板、１７１…回転軸、１７２…磁石、Ｗ…紙葉類。
【図１】
2007105287.tif 000003
【図２】
2007105287.tif 000004
【図３】
2007105287.tif 000005
【図４】
2007105287.tif 000006
【図５】
2007105287.tif 000007
【図６】
2007105287.tif 000008
【図７】
2007105287.tif 000009
【図８】
2007105287.tif 000010
【図９】
2007105287.tif 000011
【図１０】
2007105287.tif 000012
【図１１】
2007105287.tif 000013
【図１２】
2007105287.tif 000014
【図１３】
2007105287.tif 000015
【図１４】
2007105287.tif 000016
【図１５】
2007105287.tif 000017
【図１６】
2007105287.tif 000018
【図１７】
2007105287.tif 000019
【図１８】
2007105287.tif 000020
【図１９】
2007105287.tif 000021
【図２０】
2007105287.tif 000022
【図２１】
2007105287.tif 000023
【図２２】
2007105287.tif 000024
【図２３】
2007105287.tif 000025
【図２４】
2007105287.tif 000026
【図２５】
2007105287.tif 000027
【図２６】
2007105287.tif 000028
【図２７】
2007105287.tif 000029
【図２８】
2007105287.tif 000030
【図２９】
2007105287.tif 000031
【図３０】
2007105287.tif 000032
【図３１】
2007105287.tif 000033
【図３２】
2007105287.tif 000034
【図３３】
2007105287.tif 000035
【図３４】
2007105287.tif 000036
【図３５】
2007105287.tif 000037
【図３６】
2007105287.tif 000038
【図３７】
2007105287.tif 000039
【図３８】
2007105287.tif 000040
【図３９】
2007105287.tif 000041
【図４０】
2007105287.tif 000042
【図４１】
2007105287.tif 000043
【図４２】
2007105287.tif 000044
【図４３】
2007105287.tif 000045
【図４４】
2007105287.tif 000046
【図４５】
2007105287.tif 000047
【図４６】
2007105287.tif 000048
【図４７】
2007105287.tif 000049